(57)【要約】【課題】無線ネットワーク制御模擬装置の信号送信と受信の試験を同時に実施可能なＦＰフォーマット変換折り返し装置を提供すること。【解決手段】無線ネットワーク制御模擬装置２００に接続された対制御局信号入出力手段１０７と、フレームプロトコル（ＦＰ）レイヤのフォーマットを変換するＦＰ変換手段１０５、ＦＰレイヤより下位のレイヤの信号処理を行う下位レイヤ信号処理手段１０６、およびＦＰ変換手段１０５と下位レイヤ信号処理手段１０６を制御する信号処理制御手段１０４を有し、データバス１０９からの入力信号の下り方向のＦＰフォーマットを上り方向のＦＰフォーマットに変換して対制御局信号入出力手段１０７へ送る信号処理手段１０３と、信号処理手段１０３と対制御局信号入出力手段１０７に対してコネクション設定を行う制御手段１０２を備えて構成されている。【選択図】    図１
2004214900.tif 000002
【特許請求の範囲】
【請求項１】
無線ネットワーク制御模擬装置から送信された信号に対し、フレームプロトコル（以下「ＦＰ」という。）レイヤの下り方向のフォーマットを上り方向のフォーマットに変換するＦＰフォーマット変換および前記ＦＰフォーマット変換の折り返しに関するＦＰフォーマット折り返し設定を行うＦＰ変換手段と、
前記ＦＰレイヤよりも下位のレイヤの信号処理を行う下位レイヤ信号処理手段と、
前記ＦＰ変換手段におけるＦＰフォーマット折り返し設定を制御する信号処理制御手段と、を備え、
前記ＦＰ変換手段は、前記ＦＰフォーマット折り返し設定がされている場合に前記ＦＰフォーマット変換し、前記ＦＰフォーマット変換されたＦＰフレームを前記無線ネットワーク制御模擬装置に送ることを特徴とするＦＰフォーマット変換折り返し装置。
【請求項２】
前記ＦＰ変換手段は、前記下位レイヤ信号処理手段とのコネクションの確立または解除を行い、
前記下位レイヤ信号処理手段は、外部装置とのコネクションの確立または解除を行い、
前記信号処理制御手段は、前記ＦＰ変換手段による第１のコネクションおよび前記下位レイヤ信号処理手段による第２のコネクションの確立または解除を制御し、
前記ＦＰ変換手段は、前記第１コネクションおよび前記第２のコネクションが確立し、かつ、前記ＦＰフォーマット折り返し設定されている場合に、前記ＦＰフォーマットの変換を行うことを特徴とする請求項１記載のＦＰフォーマット変換折り返し装置。
【請求項３】
前記ＦＰ変換手段は、
折り返し元のコネクション識別子およびＦＰフォーマットタイプ、並びに、折り返し先のコネクション識別子およびＦＰフォーマットタイプに基づいてＦＰフォーマット折り返し設定を行い、
前記折り返し元のコネクション識別子が示すコネクションで受信した入力信号のフォーマットを前記折り返し先のＦＰフォーマットタイプに変換し、前記ＦＰフォーマット変換されたＦＰフレームを前記折り返し先のコネクションで前記無線ネットワーク制御模擬装置に送ることを特徴とする請求項１または２記載のＦＰフォーマット変換折り返し装置。
【請求項４】
前記ＦＰ変換手段は、
前記ＦＰフォーマット変換されたＦＰフレームのＭＡＣヘッダ領域にＭＡＣヘッダ情報を付与することを特徴とする請求項１、２または３記載のＦＰフォーマット変換折り返し装置。
【請求項５】
前記ＦＰ変換手段は、
前記ＦＰフォーマット変換されたＦＰフレームのＦＰペイロード領域にＦＰペイロード情報を設定することを特徴とする請求項１、２、３または４記載のＦＰフォーマット変換折り返し装置。
【請求項６】
前記ＦＰ変換手段は、
前記ＦＰフォーマット変換されたＦＰフレームのＦＰペイロード領域のＦＰペイロードを所定周期でビット反転することを特徴とする請求項１、２、３、４または５記載のＦＰフォーマット変換折り返し装置。
【請求項７】
前記ＦＰ変換手段は、
前記ＦＰフォーマット変換されたＦＰフレームのヘッダＣＲＣを１ビット反転することを特徴とする請求項１、２、３、４、５または６記載のＦＰフォーマット変換折り返し装置。
【請求項８】
前記ＦＰ変換手段は、
前記ＦＰフォーマット変換されたＦＰフレームのペイロードＣＲＣを１ビット反転することを特徴とする請求項１、２、３、４、５、６または７記載のＦＰフォーマット変換折り返し装置。
【請求項９】
前記ＦＰ変換手段は、
前記ＦＰフォーマット変換されたＦＰフレームのＱＥ領域にＱＥ情報を設定することを特徴とする請求項１、２、３、４、５、６、７または８記載のＦＰフォーマット変換折り返し装置。
【請求項１０】
前記ＦＰ変換手段は、
前記ＦＰフォーマット変換されたＦＰフレームのＱＥ領域に設定するＱＥ情報を所定周期毎に変更することを特徴とする請求項９記載のＦＰフォーマット変換折り返し装置。
【請求項１１】
前記ＦＰ変換手段は、
前記ＦＰフォーマット変換されたＦＰフレームのＣＲＣＩ領域にＣＲＣＩ情報を設定することを特徴とする請求項１、２、３、４、５、６、７、８、９または１０記載のＦＰフォーマット変換折り返し装置。
【請求項１２】
前記ＦＰ変換手段は、
前記ＦＰフォーマット変換されたＦＰフレームのプロパゲーションディレイ領域にプロパゲーションディレイ情報を設定することを特徴とする請求項１、２、３、４、５、６、７、８、９、１０または１１記載のＦＰフォーマット変換折り返し装置。
【請求項１３】
前記ＦＰ変換手段は、
コネクション情報表示命令を受け取ると、設定されているコネクションを示す設定コネクション情報を前記信号処理制御手段に送ることを特徴とする請求項１、２、３、４、５、６、７、８、９、１０、１１または１２記載のＦＰフォーマット変換折り返し装置。
【請求項１４】
コンピュータを請求項１〜１３のいずれか一項に記載のＦＰフォーマット変換折り返し装置に含まれる各手段として実現するためのＦＰフォーマット変換折り返しプログラム。
【発明の詳細な説明】
【０００１】
【発明の属する技術分野】
本発明は、移動通信システムにおける無線ネットワーク制御模擬装置からの信号折り返し試験を効率化するために受信信号のフレームプロトコル（ＦＰ）層のフレームフォーマットを変換して送出するＦＰフォーマット変換折り返し装置に関する。
【０００２】
【従来の技術】
移動通信システムにおける無線基地局は、近年のディジタル通信技術の進歩によりＣＤＭＡ等新しい通信方式と共に高速化され、データコネクションの収容数も増大している。また、特開平１１−４４７２号公報に開示されているように、移動局との無線通信を行う複数の基地局を接続し、基地局間の信号の交換や選択合成等の制御を行うと共に、有線等の交換網との間のインタフェースを行うことのできる移動通信システムにおける交換局も提案されている。
【０００３】
一方、無線基地局の開発の試験段階においては、この交換局を擬似化、簡易化して、無線基地局の有線側のインタフェース機能の確認を行うために必要となる信号の導通、選択合成および通信品質の測定機能などを有する無線ネットワーク制御模擬装置の利用が有効であり、特開平１０−２８５６３５に開示されているように、音声通話の機能を有する基地局試験装置も提案されている。
【０００４】
【発明が解決しようとする課題】
当該無線ネットワーク制御模擬装置の開発におけるシステムテストの工程では、無線ネットワーク制御模擬装置の信号の導通、選択合成および通信品質の測定機能の動作確認を行う必要がある。信号の導通試験においては、無線ネットワーク制御模擬装置から送出する信号を装置外部で折り返して再び装置に入力することにより信号の送受信機能を同時に実施すれば、無線ネットワーク制御模擬装置への入力信号データを作成し、外部の測定機からデータを送信する必要がなくなるため、効率の良い試験が可能となる。
【０００５】
従来の無線ネットワーク制御模擬装置〜無線基地局間のプロトコルのうち、無線ネットワーク制御模擬装置および無線基地局が終端するレイヤの信号は、ネットワークから端末方向と端末からネットワーク方向のプロトコルのフレームフォーマットが同一であった。そのため、無線ネットワーク制御模擬装置からの出力を信号線で折り返し、そのまま無線ネットワーク制御模擬装置に入力すれば、信号送信と受信機能の試験を同時に実施することができた。
【０００６】
しかし、３ＧＰＰの勧告により、ネットワークから端末方向と端末からネットワーク方向のプロトコルのフレームフォーマットが異なるフレームプロトコル（ＦＰ）が導入されたため、装置外に出力した信号をそのままの形式で折り返して再び無線ネットワーク制御模擬装置に受信させる試験が不可能となり、効率の良い信号送受信の試験実施が困難になるという問題点がある。
【０００７】
本発明は、上記従来の問題点に鑑みてなされたものであって、無線ネットワーク制御模擬装置の信号送信と受信の試験を同時に実施可能なＦＰフォーマット変換折り返し装置を提供することを目的としている。また、無線ネットワーク制御模擬装置の機能を極力流用した開発工数の少ないＦＰフォーマット変換折り返し装置を提供することも目的としている。
【０００８】
【課題を解決するための手段】
上記目的を達成するために、本発明に係るＦＰフォーマット変換折り返し装置は、入力信号に対し、フレームプロトコル（以下「ＦＰ」という。）レイヤの下り方向のフォーマットを上り方向のフォーマットに変換するＦＰフォーマット変換および前記ＦＰフォーマット変換の折り返しに関するＦＰフォーマット折り返し設定を行うＦＰ変換手段と、前記ＦＰレイヤよりも下位のレイヤの信号処理を行う下位レイヤ信号処理手段と、前記ＦＰ変換手段におけるＦＰフォーマット折り返し設定を制御する信号処理制御手段と、を備え、前記ＦＰ変換手段は、前記ＦＰフォーマット折り返し設定がされている場合に前記ＦＰフォーマット変換し、前記ＦＰフォーマット変換されたＦＰフレームを前記下位レイヤ信号処理手段に送る。
【０００９】
また、本発明に係るＦＰフォーマット変換折り返し装置は、前記ＦＰ変換手段は、前記下位レイヤ信号処理手段とのコネクションの確立または解除を行い、前記下位レイヤ信号処理手段は、外部装置とのコネクションの確立または解除を行い、前記信号処理制御手段は、前記ＦＰ変換手段による第１のコネクションおよび前記下位レイヤ信号処理手段による第２のコネクションの確立または解除を制御し、前記ＦＰ変換手段は、前記第１コネクションおよび前記第２のコネクションが確立し、かつ、前記ＦＰフォーマット折り返し設定されている場合に、前記ＦＰフォーマットの変換を行う。
【００１０】
したがって、所定のコネクションにおいて、無線ネットワーク制御模擬装置から送信された信号のＦＰフレームを下り用フォーマットから上り用フォーマットに変換して返信することができるため、無線ネットワーク制御模擬装置の信号導通試験を上り下り同時に行うことで試験を効率化することができる。また、ＦＰフレームのタイプを変更して無線ネットワーク制御模擬装置に送信することができる。
【００１１】
また、本発明に係るＦＰフォーマット変換折り返し装置は、前記ＦＰ変換手段は、折り返し元のコネクション識別子およびＦＰフォーマットタイプ、並びに、折り返し先のコネクション識別子およびＦＰフォーマットタイプに基づいてＦＰフォーマット折り返し設定を行い、前記折り返し元のコネクション識別子が示すコネクションで受信した入力信号のフォーマットを前記折り返し先のＦＰフォーマットタイプに変換し、前記ＦＰフォーマット変換されたＦＰフレームを前記折り返し先のコネクションで前記無線ネットワーク制御模擬装置に送る。
【００１２】
したがって、無線ネットワーク制御模擬装置から受信した信号をＦＰフォーマット変換して、別コネクションで無線ネットワーク制御模擬装置に送信することができる。これにより、ＦＡＣＨのＦＰフレームをＲＡＣＨのコネクションへ折り返す試験が可能となり、ＦＡＣＨとＲＡＣＨの導通確認を同時に実施することができる。
【００１３】
また、本発明に係るＦＰフォーマット変換折り返し装置は、前記ＦＰ変換手段は、前記ＦＰフォーマット変換されたＦＰフレームのＭＡＣヘッダ領域にＭＡＣヘッダ情報を付与する。したがって、ＦＰフォーマットを変換する際、ＭＡＣヘッダを設定することが可能となるため、異なる論理チャネルへのＦＰフレーム折り返し試験を効率化することができる。
【００１４】
また、本発明に係るＦＰフォーマット変換折り返し装置は、前記ＦＰ変換手段は、前記ＦＰフォーマット変換されたＦＰフレームのＦＰペイロード領域にＦＰペイロード情報を設定する。したがって、ＦＰ折り返しの際、ＦＰレイヤよりも上位のレイヤのデータを変更することができる。
【００１５】
また、本発明に係るＦＰフォーマット変換折り返し装置は、前記ＦＰ変換手段は、前記ＦＰフォーマット変換されたＦＰフレームのＦＰペイロード領域のＦＰペイロードを所定周期でビット反転する。したがって、ＦＰペイロード部分にＰＮ信号を設定した信号をＦＰ変換折り返しする際に、一定の割合でビットエラーを発生させることが可能となるため、無線ネットワーク制御模擬装置のＢＥＲ測定機能の試験を効率化することができる。
【００１６】
また、本発明に係るＦＰフォーマット変換折り返し装置は、前記ＦＰ変換手段は、前記ＦＰフォーマット変換されたＦＰフレームのヘッダＣＲＣを１ビット反転する。したがって、無線ネットワーク制御模擬装置のヘッダＣＲＣ確認機能の試験を効率化することができる。
【００１７】
また、本発明に係るＦＰフォーマット変換折り返し装置は、前記ＦＰ変換手段は、前記ＦＰフォーマット変換されたＦＰフレームのペイロードＣＲＣを１ビット反転する。したがって、無線ネットワーク制御模擬装置のペイロードＣＲＣ確認機能の試験を効率化することができる。
【００１８】
また、本発明に係るＦＰフォーマット変換折り返し装置は、前記ＦＰ変換手段は、前記ＦＰフォーマット変換されたＦＰフレームのＱＥ領域にＱＥ情報を設定する。したがって、ＦＰフォーマット変換折り返し時にコネクション毎にＱＥ値を自由に設定できるため、無線ネットワーク制御模擬装置のＱＥ測定機能や、ＦＰ単位の選択合成機能の試験を効率化することができる。
【００１９】
また、本発明に係るＦＰフォーマット変換折り返し装置は、前記ＦＰ変換手段は、前記ＦＰフォーマット変換されたＦＰフレームのＱＥ領域に設定するＱＥ情報を所定周期毎に変更する。したがって、同一のコネクションでＦＰ毎に異なるＱＥを持つ上りＦＰフレームを送信することができるため、無線ネットワーク制御模擬装置の外部ループパワー制御（Ｏｕｔｅｒ  Ｌｏｏｐ  Ｐｏｗｅｒ  Ｃｏｎｔｒｏｌ）機能の試験を効率化することができる。
【００２０】
また、本発明に係るＦＰフォーマット変換折り返し装置は、前記ＦＰ変換手段は、前記ＦＰフォーマット変換されたＦＰフレームのＣＲＣＩ領域にＣＲＣＩ情報を設定する。したがって、ＦＰフォーマット変換折り返し時にコネクション毎にＣＲＣＩの値を自由に設定できるため、無線ネットワーク制御模擬装置のＴＢ毎の選択合成機能の試験を効率化することができる。
【００２１】
また、本発明に係るＦＰフォーマット変換折り返し装置は、前記ＦＰ変換手段は、前記ＦＰフォーマット変換されたＦＰフレームのプロパゲーションディレイ領域にプロパゲーションディレイ情報を設定する。したがって、ＦＰフレーム折り返し時にプロパゲーションディレイを設定することが可能となるため、無線ネットワーク制御模擬装置のプロパゲーションディレイ通知機能の試験を効率化することができる。
【００２２】
また、本発明に係るＦＰフォーマット変換折り返し装置は、前記ＦＰ変換手段は、コネクション情報表示命令を受け取ると、設定されているコネクションを示す設定コネクション情報を前記信号処理制御手段に送る。したがって、各コネクションの状態をユーザに通知することができるため、無線ネットワーク制御模擬装置およびＦＰ変換折り返し装置の不具合検出を効率化できる。
【００２３】
さらに、本発明に係るＦＰフォーマット変換折り返しプログラムは、コンピュータを請求項１〜１３のいずれか一項に記載のＦＰフォーマット変換折り返し装置に含まれる各手段として実現するためのものである。
【００２４】
【発明の実施の形態】
本発明に係るＦＰフォーマット変換折り返し装置は、無線ネットワーク制御模擬装置に接続された対制御局信号入出力手段と、データバスを介して前記対制御局信号入出力手段に接続され、フレームプロトコル（ＦＰ）レイヤのフォーマットを変換するＦＰ変換手段、ＦＰレイヤより下位のレイヤの信号処理を行う下位レイヤ信号処理手段、およびＦＰ変換手段と下位レイヤ信号処理手段を制御する信号処理制御手段を有し、前記データバスから入力された信号の下り方向（ネットワークから端末方向）のＦＰフォーマットを上り方向（端末からネットワーク方向）のＦＰフォーマットに変換して前記対制御局信号入出力手段へ送出する信号処理手段と、制御バスを介して前記信号処理手段、前記対制御局信号入出力手段と接続され、前記信号処理手段および前記対制御局信号入出力手段に対してコネクション設定を行う制御手段を備え、前記対制御局信号入出力手段から受信した信号のＦＰフォーマットを下り用フォーマットから上り用フォーマットに変換して再び前記対制御局信号入出力手段に送出するものである。
【００２５】
以下、本発明に係るＦＰフォーマット変換折り返し装置の実施の形態について、〔第１の実施形態〕、〔第２の実施形態〕、〔第３の実施形態〕、〔第４の実施形態〕、〔第５の実施形態〕、〔第６の実施形態〕、〔第７の実施形態〕、〔第８の実施形態〕、〔第９の実施形態〕、〔第１０の実施形態〕、〔第１１の実施形態〕、〔第１２の実施形態〕の順に図面を参照して詳細に説明する。
【００２６】
〔第１の実施の形態〕
本発明に係るＦＰフォーマット変換折り返し装置の第１の実施の形態について説明する。図１は、本発明の第１の実施形態に係るＦＰフォーマット変換折り返し装置１００の構成を示すブロック図である。第１の実施形態のＦＰフォーマット変換折り返し装置１００は、無線ネットワーク制御模擬装置２００から受信したＦＰのフォーマットを下りＦＰフォーマットから上りＦＰフォーマットへの変換を行うものであり、同図に示すように、ＨＭＩ入出力手段１０１と、制御手段１０２と、信号処理手段１０３と、対制御局信号入出力手段１０７と、制御バス１０８と、データバス１０９とを備えて構成されている。
【００２７】
ＨＭＩ入出力手段１０１は、キーボードやディスプレイ等の入出力を有する。ユーザ操作による入力を検出した場合、入力内容に応じてＦＰフォーマット変換折り返し装置１００内のデータコネクションの確立・解除やＦＰフォーマット変換折り返し設定の指示命令を制御手段１０２へ送信する。
【００２８】
制御手段１０２は、ＨＭＩ入出力手段１０１からの指示を受信した場合、受信した指示の内容に応じて、信号処理手段１０３と対制御局信号入出力手段１０７との間のデータコネクションの確立・解除やＦＰフォーマット変換折り返し設定の指示命令を制御バス１０８経由で信号処理手段１０３および対制御局信号入出力手段１０７に与える。
【００２９】
信号処理手段１０３は、制御手段１０２から制御バス１０８経由で指示を受信した場合に、指示の内容に応じてデータコネクションの確立・解除やＦＰフォーマット変換折り返し設定を行う。また、データコネクションが確立され、かつ、ＦＰフォーマット変換折り返し設定が完了しているコネクションにおいて、データバス１０９を経由して信号を受信した場合は、受信した対制御局信号入出力手段１０７からの信号のＦＰフォーマット変換を実施し、再びデータバス１０９を経由して対制御局信号入出力手段１０７に送信する。信号処理手段１０３は、信号処理制御手段１０４と、ＦＰ変換手段１０５と、下位レイヤ信号処理手段１０６とを有する。
【００３０】
信号処理制御手段１０４は、制御バス１０８経由でデータコネクション確立・解除やＦＰフォーマット変換折り返しの指示を受信した場合に、指示内容に応じてＦＰ変換手段１０５および下位レイヤ信号処理手段１０６にデータコネクションの確立・解除やＦＰフォーマット変換折り返しの指示を送信する。
【００３１】
ＦＰ変換手段１０５は、信号処理制御手段１０４から指示を受信した場合に、指示内容に応じて、データコネクションの確立・解除やＦＰフォーマット変換折り返しの設定を行う。また、データコネクションおよびＦＰフォーマット折り返しが設定されているコネクションで、下位レイヤ信号処理手段１０６からＦＰフレームを受信した場合に、受信ＦＰフレームのフォーマットを下り用ＦＰフォーマットから上り用ＦＰフォーマットに変換して、適切なタイミングに適切なＴＦＩ値を付与したＦＰフレームを下位レイヤ信号処理手段１０６に送信する。
【００３２】
下位レイヤ信号処理手段１０６は、信号処理制御手段１０４から受信したデータコネクションの確立・解除の命令を受信した場合に、データコネクションの確立・解除を行う。また、データコネクションが確立されているコネクションで、データバス１０９から信号を受信した場合に、ＦＰレイヤより下位のレイヤのプロトコル分解を行い、ＦＰ変換手段１０５へＦＰフレームを送信する。また、データコネクションが確立されているコネクションで、ＦＰ変換手段１０５よりＦＰフレームを受信した場合、ＦＰレイヤより下位のレイヤのプロトコル組立て処理を行い、データバス１０９へ信号を送信する。
【００３３】
対制御局信号入出力手段１０７は、制御手段１０２から受信したデータコネクションの確立・解除の命令を受信した場合に、信号処理手段１０３〜対制御局信号入出力手段１０７間、対制御局信号入出力手段１０７〜無線ネットワーク制御模擬装置２００間のデータコネクションの確立・解除を行う。また、データコネクションが確立されているコネクションにおいて、無線ネットワーク制御模擬装置２００からデータを受信した場合、ＦＰフォーマット変換折り返し装置１００内部の伝送プロトコル仕様でデータバス１０９へデータを送信する。また、信号処理手段１０３からデータバス１０９経由で信号を受信した場合、ＦＰフォーマット変換折り返し装置１００〜無線ネットワーク制御模擬装置２００間の伝送路仕様に基づいたデータ形式で受信信号を無線ネットワーク制御模擬装置２００へ送信する。
【００３４】
制御バス１０８は、制御手段１０２からの制御信号、および信号処理手段１０３や対制御局信号入出力手段１０７からの制御信号の応答信号を送受信するためのバスである。
【００３５】
データバス１０９は、対制御局信号入出力手段１０７が無線ネットワーク制御模擬装置２００から受信した信号を信号処理手段１０３へ送信したり、信号処理手段１０３が出力した信号を対制御局信号入出力手段１０７へ送信するためのバスである。
【００３６】
このように構成された本実施形態のＦＰフォーマット変換折り返し装置１００における「データコネクションの接続動作」、「ＦＰ変換折り返し設定動作」および「ＦＰ変換折り返し動作」について、以下、詳細に説明する。
【００３７】
＜データコネクション接続動作＞
まず、ユーザがＨＭＩ入出力手段１０１に折り返しコネクションの接続の入力を行う。このとき、無線ネットワーク制御模擬装置２００とデータの送受信をするために必要なコネクション識別情報（データコネクション番号）を設定しておく。次に、ＨＭＩ入出力手段１０１が、ユーザの入力により設定された情報に基づいてデータコネクション接続の指示命令を送信する。このとき、指示命令のパラメータにデータコネクション番号を含めておく。
【００３８】
次に、制御手段１０２が、ＨＭＩ入出力手段１０１から受信したデータコネクション確立の指示命令に基づいて、制御バス１０８を介して信号処理手段１０３および対制御局信号入出力手段１０７にデータコネクションの設定指示命令を送信する。このとき、対制御局信号入出力手段１０７には、無線ネットワーク制御模擬装置２００とデータの送受信をするために必要な情報を設定する。また、信号処理手段１０３と対制御局信号入出力手段１０７には、データバス１０９を介して送受する信号を相互が認識するための共通の識別子を設定しておく。
【００３９】
＜ＦＰ変換折り返し設定動作＞
まず、ユーザがＦＰのフレームタイプとデータコネクションをＨＭＩ入出力手段１０１へ入力する。このとき、入力するデータコネクションはデータコネクション確立動作で設定したデータコネクション番号を適用する。次に、ＨＭＩ入出力手段１０１が入力されたＦＰフレームタイプとデータコネクションの組を制御手段１０２に送出する。
【００４０】
次に、制御手段１０２が制御バス１０８を介して信号処理制御手段１０４に前記ＦＰフレームタイプとデータコネクションの組を送信する。次に、信号処理制御手段１０４は受信した前記ＦＰフレームタイプとデータコネクションの組をＦＰ変換手段１０５に送信する。次に、ＦＰ変換手段１０５が、前記ＦＰフレームタイプとデータコネクションの組を記憶する。
【００４１】
＜ＦＰ変換折り返し動作＞
まず、対制御局信号入出力手段１０７が無線ネットワーク制御模擬装置２００からの信号を受信した場合、受信信号のコネクション識別情報が既に登録されている場合は、データコネクション設定時に信号処理手段１０３と関連付けられたデータコネクションでデータバス１０９へ受信信号を送信する。その際、受信データをデータバス１０９上のデータのプロトコル仕様に変換してデータバス１０９へ送信する。次に、下位レイヤ信号処理手段１０６がデータバス１０９経由で受信した受信信号に対してＦＰレイヤより下位のレイヤのプロトコル分解処理を行い、ＦＰフレームをＦＰ変換手段１０５へ送信する。
【００４２】
次に、ＦＰ変換手段１０５が受信したＦＰフレームをコネクション設定時に指定されたＦＰフレームタイプの上りＦＰフォーマットに変換して、下位レイヤ信号処理手段１０６へ送信する。次に、下位レイヤ信号処理手段１０６が受信した上りフォーマットに変換されたＦＰフレームに対しＦＰレイヤよりも下位のレイヤのプロトコル組立て処理を行い、対制御局信号入出力手段１０７と関連付けられたデータバス１０９へ送出する。次に、対制御局信号入出力手段１０７がデータバス１０９経由で信号処理手段１０３から受信したデータを基地局〜無線ネットワーク制御模擬装置２００間の伝送路仕様に基づいた形式に変換して、無線ネットワーク制御模擬装置２００へ送信する。
【００４３】
〔第２の実施の形態〕
本発明に係るＦＰフォーマット変換折り返し装置の第２の実施の形態について説明する。第２の実施形態のＦＰフォーマット変換折り返し装置１００の構成は第１の実施の形態（図１）と同様であり、ＨＭＩ入出力手段１０１と、制御手段１０２と、信号処理手段１０３と、対制御局信号入出力手段１０７と、制御バス１０８と、データバス１０９とを備えて構成されている。
【００４４】
ＨＭＩ入出力手段１０１は、キーボードやディスプレイ等の入出力を有する。ユーザ操作による入力を検出した場合、入力内容に応じてＦＰフォーマット変換折り返し装置１００内のデータコネクションの確立・解放やＦＰフォーマット変換折り返し設定の指示命令を制御手段１０２へ送信する。特に、異なるコネクションへの折り返しを行う場合には、ユーザが折り返し元のデータコネクション番号とＦＰフレームタイプおよび折り返し先のデータコネクション番号とＦＰフレームタイプを入力し、ＨＭＩ入出力手段１０１が、これら４つの情報をパラメータとして含む別データコネクションへの折り返し指示を制御手段１０２に送信する。
【００４５】
制御手段１０２は、ＨＭＩ入出力手段１０１からの指示を受信した場合、受信した指示の内容に応じて、信号処理手段１０３と対制御局信号入出力手段１０７間のデータコネクションの確立・解放やＦＰフォーマット変換折り返し設定の指示命令を制御バス１０８経由で信号処理手段１０３および対制御局信号入出力手段１０７に与える。特に、別データコネクションへの折り返し指示を受信した場合には、折り返し元のデータコネクション番号とＦＰフレームタイプおよび折り返し先のデータコネクション番号とＦＰフレームタイプをパラメータとして含む別データコネクションへの折り返し指示を信号処理手段１０３へ送信する。
【００４６】
信号処理手段１０３は、制御手段１０２から制御バス１０８経由で指示を受信した場合に、指示の内容に応じてデータコネクションの確立・解除やＦＰフォーマット変換折り返し設定を行う。また、データコネクションが設定され、かつ、ＦＰフォーマット変換折り返し設定が完了しているコネクションにおいて、データバス１０９を経由して信号を受信した場合は、受信した対制御局信号入出力手段１０７からの信号のＦＰフォーマット変換を実施し、再びデータバス１０９を経由して対制御局信号入出力手段１０７に送信する。特に、ＦＰフォーマット変換折り返し設定が別データコネクションへの折り返し設定の場合は、別データコネクションへの折り返し設定指示命令に含まれているパラメータである折り返し元のデータコネクションから折り返し先のデータコネクションへＦＰを折り返す。信号処理手段１０３は、信号処理制御手段１０４と、ＦＰ変換手段１０５と、下位レイヤ信号処理手段１０６とを有する。
【００４７】
信号処理制御手段１０４は、制御バス１０８経由でデータコネクション確立・解放やＦＰフォーマット変換折り返しの指示を受信した場合に、指示内容に応じてＦＰ変換手段１０５および下位レイヤ信号処理手段１０６にデータコネクションの確立・解除やＦＰフォーマット変換折り返しの指示を送信する。特に、別データコネクションへの折り返し指示を受信した場合には、折り返し元のデータコネクション番号とＦＰフレームタイプおよび折り返し先のデータコネクション番号とＦＰフレームタイプをパラメータとして含む別データコネクションへの折り返し指示をＦＰ変換手段１０５へ送信する。
【００４８】
ＦＰ変換手段１０５は、信号処理制御手段１０４から指示を受信した場合に、指示内容に応じて、データコネクションの確立・解除やＦＰフォーマット変換折り返しの設定を行う。特に、別データコネクションへの折り返し指示を受信した場合には、折り返し元のデータコネクション番号とＦＰフレームタイプおよび折り返し先のデータコネクション番号とＦＰフレームタイプを記憶することにより、別データコネクションへのＦＰフォーマット変換折り返しの設定する。また、データコネクションおよびＦＰフォーマット折り返しが設定されているコネクションで、下位レイヤ信号処理手段１０６からＦＰフレームを受信した場合に、受信ＦＰフレームのフォーマットを下り用ＦＰフォーマットから上り用ＦＰフォーマットに変換して、適切なタイミングに適切なＴＦＩ値を付与したＦＰフレームを下位レイヤ信号処理手段１０６に送信する。また、別データコネクションへのＦＰフォーマット変換折り返しの設定がされているデータコネクションでＦＰフレームを受信した場合には、折り返し設定時に記憶した折り返し先データコネクションへ下位レイヤ信号処理手段１０６にＦＰフレームを送信する。
【００４９】
下位レイヤ信号処理手段１０６は、信号処理制御手段１０４から受信したデータコネクションの確立・解除の命令を受信した場合に、データコネクションの確立・解除を行う。また、データコネクションが設定されているコネクションで、データバス１０９から信号を受信した場合に、ＦＰレイヤより下位のレイヤのプロトコル分解を行い、ＦＰ変換手段１０５へＦＰフレームを送信する。また、データコネクションが設定されているコネクションで、ＦＰ変換手段１０５よりＦＰフレームを受信した場合、ＦＰレイヤより下位のレイヤのプロトコル組立て処理を行い、データバス１０９へ信号を送信する。
【００５０】
対制御局信号入出力手段１０７は、制御手段１０２から受信したデータコネクションの確立・解除の命令を受信した場合に、信号処理手段１０３〜対制御局信号入出力手段１０７間、対制御局信号入出力手段１０７〜無線ネットワーク制御模擬装置２００間のデータコネクションの確立・解除を行う。また、データコネクションが設定されているコネクションにおいて、無線ネットワーク制御模擬装置２００からデータを受信した場合、ＦＰフォーマット変換折り返し装置１００内部の伝送プロトコル仕様でデータバス１０９へデータを送信する。また、信号処理手段１０３からデータバス１０９経由で信号を受信した場合、ＦＰフォーマット変換折り返し装置１００〜無線ネットワーク制御模擬装置２００間の伝送路仕様に基づいたデータ形式で受信信号を無線ネットワーク制御模擬装置２００へ送信する。
【００５１】
制御バス１０８は、制御手段１０２からの制御信号、および信号処理手段１０３や対制御局信号入出力手段１０７からの制御信号の応答信号を送受信するためのバスである。
【００５２】
データバス１０９は、対制御局信号入出力手段１０７が無線ネットワーク制御模擬装置２００から受信した信号を信号処理手段１０３へ送信したり、信号処理手段１０３が出力した信号を対制御局信号入出力手段１０７へ送信するためのバスである。
【００５３】
このように構成された本実施形態のＦＰフォーマット変換折り返し装置１００における、異なるデータコネクションへのＦＰ折り返しを行う場合のデータコネクションの確立動作は、第１の実施形態によるデータコネクション確立を複数回繰り返すことにより行う。したがって、以下では、異なるデータコネクションへの折り返しの際の「ＦＰ変換折り返し設定動作」および「ＦＰ折り返し動作」について説明する。
【００５４】
＜ＦＰ変換折り返し設定動作＞
まず、ユーザがＦＰ変換折り返し元と折り返し先のＦＰのフレームタイプとデータコネクションをそれぞれＨＭＩ入出力手段１０１へ入力する。このとき、入力するデータコネクションはデータコネクション確立動作で設定したデータコネクション番号を適用する。次に、ＨＭＩ入出力手段１０１が受信した折り返し元と折り返し先のＦＰフレームタイプとデータコネクションの組を制御手段１０２に送出する。
【００５５】
次に、制御手段１０２が制御バス１０８を介して信号処理制御手段１０４に前記折り返し元と折り返し先のＦＰフレームタイプとデータコネクションの組を送信する。次に、信号処理制御手段１０４は受信した前記折り返し元と折り返し先のＦＰフレームタイプとデータコネクションの組をＦＰ変換手段１０５に送信する。次に、ＦＰ変換手段１０５が、前記折り返し元と折り返し先のＦＰフレームタイプとデータコネクションの組を記憶する。
【００５６】
＜異なるデータコネクションへのＦＰ変換折り返し動作＞
まず、対制御局信号入出力手段１０７が無線ネットワーク制御模擬装置２００から信号を受信した場合、受信信号のコネクション識別情報が既に登録されている場合は、データコネクション設定時に信号処理手段１０３と関連付けられたデータコネクションでデータバス１０９へ受信信号を送信する。その際、受信データをデータバス１０９上のデータのプロトコル仕様に変換してデータバス１０９へ送信する。次に、下位レイヤ信号処理手段１０６がデータバス１０９経由で受信した受信信号に対して、ＦＰレイヤより下位のレイヤのプロトコル分解処理を行い、ＦＰフレームをＦＰ変換手段１０５へ送信する。
【００５７】
次に、ＦＰ変換手段１０５が受信したＦＰフレームのデータコネクションが、異なるデータコネクションへのＦＰ変換折り返し設定の折り返し元データコネクションとして記憶されている場合、折り返し元のＦＰフレームタイプのＦＰフレームを折り返し先のＦＰフレームタイプの上りＦＰフォーマットに変換して、折り返し先のデータコネクションで下位レイヤ信号処理手段１０６へ送信する。次に、下位レイヤ信号処理手段１０６が受信した上りフォーマットに変換されたＦＰフレームに対し、ＦＰレイヤよりも下位のレイヤのプロトコル組立て処理を行い、対制御局信号入出力手段１０７と関連付けられたデータバス１０９へ送出する。
【００５８】
次に、対制御局信号入出力手段１０７がデータバス１０９経由で信号処理手段１０３からデータを受信した場合、受信データのデータコネクションに対応するコネクション識別子を付与し、基地局〜無線ネットワーク制御模擬装置２００間の伝送路仕様に基づいた形式に変換して、無線ネットワーク制御模擬装置２００へ送信する。
【００５９】
〔第３の実施の形態〕
本発明に係るＦＰフォーマット変換折り返し装置の第３の実施の形態について説明する。第３の実施形態のＦＰフォーマット変換折り返し装置１００は、無線ネットワーク制御模擬装置２００から受信したＦＰのフォーマットを下りＦＰフォーマットから上りＦＰフォーマットへの変換を行うものであり、その構成は第１の実施形態（図１）と同様である。すなわち、本実施形態のＦＰフォーマット変換折り返し装置１００は、ＨＭＩ入出力手段１０１と、制御手段１０２と、信号処理手段１０３と、対制御局信号入出力手段１０７と、制御バス１０８と、データバス１０９とを備えて構成されている。
【００６０】
ＨＭＩ入出力手段１０１は、キーボードやディスプレイ等の入出力を有する。ユーザ操作による入力を検出した場合、入力内容に応じてＦＰフォーマット変換折り返し装置１００内のデータコネクションの確立・解除やＦＰフォーマット変換折り返し設定やＭＡＣヘッダ設定の指示命令を制御手段１０２へ送信する。特に、ＭＡＣヘッダの設定を行う場合には、ユーザがＭＡＣヘッダを設定するデータコネクション番号とＭＡＣヘッダの内容を入力し、ＨＭＩ入出力手段１０１が、ＭＡＣヘッダを設定するデータコネクション番号とＭＡＣヘッダの内容をパラメータとして含むＭＡＣヘッダ設定指示を制御手段１０２に送信する。
【００６１】
制御手段１０２は、ＨＭＩ入出力手段１０１からの指示を受信した場合、受信した指示の内容に応じて、信号処理手段１０３と対制御局信号入出力手段１０７間のデータコネクションの確立・解除やＦＰフォーマット変換折り返し設定の指示命令を制御バス１０８経由で信号処理手段１０３および対制御局信号入出力手段１０７に与える。特に、ＭＡＣヘッダ設定指示を受信した場合には、ＭＡＣヘッダを付与して折り返すデータコネクション番号とＭＡＣヘッダ情報をパラメータとして含むＭＡＣヘッダ設定指示を信号処理手段１０３へ送信する。
【００６２】
信号処理手段１０３は、制御手段１０２から制御バス１０８経由で指示を受信した場合に、指示の内容に応じてデータコネクションの確立・解除やＦＰフォーマット変換折り返し設定やＭＡＣヘッダ設定を行う。また、データコネクションが設定され、かつ、ＦＰフォーマット変換折り返し設定が完了しているコネクションにおいて、データバス１０９を経由して信号を受信した場合は、受信した対制御局信号入出力手段１０７からの信号のＦＰフォーマット変換を実施し、再びデータバス１０９を経由して対制御局信号入出力手段１０７に送信する。特に、ＭＡＣヘッダの設定指示を受信したデータコネクションでＦＰフレームを受信した場合は、ＦＰフレームフォーマット変換後、ＭＡＣヘッダ設定指示命令のパラメータであるＭＡＣヘッダ情報を折り返すＦＰフレームに設定して対制御局信号入出力手段１０７に送信する。信号処理手段１０３は、信号処理制御手段１０４と、ＦＰ変換手段１０５と、下位レイヤ信号処理手段１０６とを有する。
【００６３】
信号処理制御手段１０４は、制御バス１０８経由でデータコネクション確立・解除やＦＰフォーマット変換折り返しの指示を受信した場合に、指示内容に応じてＦＰ変換手段１０５および下位レイヤ信号処理手段１０６にデータコネクションの確立・解除やＦＰフォーマット変換折り返しやＭＡＣヘッダ設定の指示を送信する。特に、ＭＡＣヘッダ設定指示を受信した場合には、ＭＡＣヘッダを付与して折り返すデータコネクション番号とＭＡＣヘッダ情報をパラメータとして含むＭＡＣヘッダ設定指示をＦＰ変換手段１０５へ送信する。
【００６４】
ＦＰ変換手段１０５は、信号処理制御手段１０４から指示を受信した場合に、指示内容に応じて、データコネクションの確立・解除やＦＰフォーマット変換折り返しの設定やＭＡＣヘッダ設定を行う。特に、ＭＡＣヘッダ設定指示を受信した場合には、ＦＰ変換折り返し時にＭＡＣヘッダを設定するデータコネクション番号とＭＡＣヘッダ情報を記憶することにより、ＦＰ折り返し時にＭＡＣヘッダを設定するデータコネクションを設定する。また、データコネクションおよびＦＰフォーマット折り返しが設定されているコネクションで、下位レイヤ信号処理手段１０６からＦＰフレームを受信した場合に、受信ＦＰフレームのフォーマットを下り用ＦＰフォーマットから上り用ＦＰフォーマットに変換して、適切なタイミングに適切なＴＦＩ値を付与したＦＰフレームを下位レイヤ信号処理手段１０６に送信する。特に、ＭＡＣヘッダ設定がされているデータコネクションでＦＰフレームを受信した場合には、ＭＡＣヘッダ設定時に記憶したＭＡＣヘッダ情報をＦＰフレームペイロードのＭＡＣヘッダ部分に設定して下位レイヤ信号処理手段１０６へＦＰフレームを送信する。
【００６５】
下位レイヤ信号処理手段１０６は、信号処理制御手段１０４から受信したデータコネクションの確立・解除の命令を受信した場合に、データコネクションの確立・解除を行う。また、データコネクションが設定されているコネクションで、データバス１０９から信号を受信した場合に、ＦＰレイヤより下位のレイヤのプロトコル分解を行い、ＦＰ変換手段１０５へＦＰフレームを送信する。また、データコネクションが設定されているコネクションで、ＦＰ変換手段１０５よりＦＰフレームを受信した場合、ＦＰレイヤより下位のレイヤのプロトコル組立て処理を行い、データバス１０９へ信号を送信する。
【００６６】
対制御局信号入出力手段１０７は、制御手段１０２から受信したデータコネクションの確立・解除の命令を受信した場合に、信号処理手段１０３〜対制御局信号入出力手段１０７間、対制御局信号入出力手段１０７〜無線ネットワーク制御模擬装置２００間のデータコネクションの確立・解除を行う。また、データコネクションが設定されているコネクションにおいて、無線ネットワーク制御模擬装置２００からデータを受信した場合、ＦＰフォーマット変換折り返し装置１００内部の伝送プロトコル仕様でデータバス１０９へデータを送信する。また、信号処理手段１０３からデータバス１０９経由で信号を受信した場合、ＦＰフォーマット変換折り返し装置１００〜無線ネットワーク制御模擬装置２００間の伝送路仕様に基づいたデータ形式で受信信号を無線ネットワーク制御模擬装置２００へ送信する。
【００６７】
制御バス１０８は、制御手段１０２からの制御信号、および信号処理手段１０３や対制御局信号入出力手段１０７からの制御信号の応答信号を送受信するためのバスである。
【００６８】
データバス１０９は、対制御局信号入出力手段１０７が無線ネットワーク制御模擬装置２００から受信した信号を信号処理手段１０３へ送信したり、信号処理手段１０３が出力した信号を対制御局信号入出力手段１０７へ送信するためのバスである。
【００６９】
このように構成された本実施形態のＦＰフォーマット変換折り返し装置１００における、ＭＡＣヘッダを設定してＦＰ折り返しを行う場合の動作手順は、データコネクションの確立、ＦＰ変換折り返し設定、ＭＡＣヘッダ設定、受信ＦＰ折り返しの順となる。本実施形態におけるデータコネクションの確立動作は、第１の実施形態によるデータコネクション確立と同様である。また、ＭＡＣヘッダを設定してＦＰ折り返しを行う場合のＦＰ変換折り返し設定も第１の実施形態によるＦＰ変換折り返し設定と同様である。したがって、以下では、ＭＡＣヘッダを設定してＦＰ折り返しを行う場合の「ＭＡＣヘッダ設定動作」と「ＦＰ折り返し動作」について説明する。
【００７０】
＜ＭＡＣヘッダ設定動作＞
まず、ユーザがＭＡＣヘッダを設定してＦＰ変換を行うコネクションのＭＡＣヘッダ情報とデータコネクション番号をそれぞれＨＭＩ入出力手段１０１へ入力する。このとき、入力するデータコネクションはデータコネクション確立、ＦＰ変換折り返しの設定を実施したデータコネクション番号を適用する。次に、ＨＭＩ入出力手段１０１がＭＡＣヘッダ情報とデータコネクション番号の組を制御手段１０２に送出する。
【００７１】
次に、制御手段１０２が制御バス１０８を介して信号処理制御手段１０４に前記ＭＡＣヘッダ情報とデータコネクション番号の組を送信する。次に、信号処理制御手段１０４は受信した前記ＭＡＣヘッダ情報とデータコネクション番号の組をＦＰ変換手段１０５に送信する。次に、ＦＰ変換手段１０５が、前記ＭＡＣヘッダ情報とデータコネクション番号の組を記憶する。
【００７２】
＜ＭＡＣヘッダ設定に伴うＦＰ変換折り返し動作＞
まず、対制御局信号入出力手段１０７が無線ネットワーク制御模擬装置２００から信号を受信した場合、受信信号のコネクション識別情報が既に登録されている場合は、データコネクション設定時に信号処理手段１０３と関連付けられたデータコネクションでデータバス１０９へ受信信号を送信する。その際、受信データをデータバス１０９上のデータのプロトコル仕様に変換してデータバス１０９へ送信する。次に、下位レイヤ信号処理手段１０６がデータバス１０９経由で受信した受信信号に対して、ＦＰレイヤより下位のレイヤのプロトコル分解処理を行い、ＦＰフレームをＦＰ変換手段１０５へ送信する。
【００７３】
次に、ＦＰ変換手段１０５が受信したＦＰフレームのデータコネクションが、ＭＡＣヘッダを付与してＦＰ変換折り返しを行うデータコネクションとして記憶されている場合、下位レイヤ信号処理手段１０６から受信したＦＰフレームのＦＰフレームを上りＦＰフォーマットに変換し、さらにＦＰフレーム内の各ＴＢの先頭にＭＡＣヘッダ情報を付与したＦＰフレームを作成して下位レイヤ信号処理手段１０６へ送信する。次に、下位レイヤ信号処理手段１０６が受信した上りフォーマットに変換されたＦＰフレームに対し、ＦＰレイヤよりも下位のレイヤのプロトコル組立て処理を行い、対制御局信号入出力手段１０７と関連付けられたデータバス１０９へ送出する。
【００７４】
次に、対制御局信号入出力手段１０７がデータバス１０９経由で信号処理手段１０３からデータを受信した場合、受信データのデータコネクションに対応するコネクション識別子を付与し、基地局〜無線ネットワーク制御模擬装置２００間の伝送路仕様に基づいた形式に変換して、無線ネットワーク制御模擬装置２００へ送信する。
【００７５】
〔第４の実施の形態〕
本発明に係るＦＰフォーマット変換折り返し装置の第４の実施の形態について説明する。第４の実施形態のＦＰフォーマット変換折り返し装置１００は、無線ネットワーク制御模擬装置２００から受信したＦＰのフォーマットを下りＦＰフォーマットから上りＦＰフォーマットへの変換を行うものであり、その構成は第１の実施形態（図１）と同様である。すなわち、本実施形態のＦＰフォーマット変換折り返し装置１００は、ＨＭＩ入出力手段１０１と、制御手段１０２と、信号処理手段１０３と、対制御局信号入出力手段１０７と、制御バス１０８と、データバス１０９とを備えて構成されている。
【００７６】
ＨＭＩ入出力手段１０１は、キーボードやディスプレイ等の入出力を有する。ユーザ操作による入力を検出した場合、入力内容に応じてＦＰフォーマット変換折り返し装置１００内のデータコネクションの確立・解除やＦＰフォーマット変換折り返し設定やＦＰペイロード変更の指示命令を制御手段１０２へ送信する。特に、ＦＰペイロードの変更を行う場合には、ユーザがＦＰペイロードを設定するデータコネクション番号とＦＰペイロードの内容を入力し、ＨＭＩ入出力手段１０１が、前記ＦＰペイロードを設定するデータコネクション番号とＦＰペイロードの内容をパラメータとして含むＦＰペイロード変更指示を制御手段１０２に送信する。
【００７７】
制御手段１０２は、ＨＭＩ入出力手段１０１からの指示を受信した場合、受信した指示の内容に応じて、信号処理手段１０３と対制御局信号入出力手段１０７間のデータコネクションの確立・解除やＦＰフォーマット変換折り返し設定の指示命令を制御バス１０８経由で信号処理手段１０３および対制御局信号入出力手段１０７に与える。特に、ＦＰペイロード変更指示を受信した場合には、ＦＰペイロードを設定して折り返すデータコネクション番号とＦＰペイロード情報をパラメータとして含むＦＰペイロード変更指示を信号処理手段１０３へ送信する。
【００７８】
信号処理手段１０３は、制御手段１０２から制御バス１０８経由で指示を受信した場合に、指示の内容に応じてデータコネクションの確立・解除やＦＰフォーマット変換折り返し設定やＦＰペイロード変更を行う。また、データコネクションが設定され、かつ、ＦＰフォーマット変換折り返し設定が完了しているコネクションにおいて、データバス１０９を経由して信号を受信した場合、受信した対制御局信号入出力手段１０７からの信号のＦＰフォーマット変換を実施し、再びデータバス１０９を経由して対制御局信号入出力手段１０７に送信する。特に、ＦＰペイロードの変更指示を受信したデータコネクションでＦＰフレームを受信した場合は、ＦＰフレームフォーマット変換後、ＦＰペイロード変更指示命令のパラメータであるＦＰペイロード情報を折り返すＦＰフレームのペイロード部分に設定して対制御局信号入出力手段１０７に送信する。信号処理手段１０３は、信号処理制御手段１０４と、ＦＰ変換手段１０５と、下位レイヤ信号処理手段１０６とを有する。
【００７９】
信号処理制御手段１０４は、制御バス１０８経由でデータコネクション確立・解除やＦＰフォーマット変換折り返しの指示を受信した場合に、指示内容に応じてＦＰ変換手段１０５および下位レイヤ信号処理手段１０６にデータコネクションの確立・解除やＦＰフォーマット変換折り返しやＦＰペイロード変更の指示を送信する。特に、ＦＰペイロード変更指示を受信した場合には、ＦＰペイロードを変更して折り返すデータコネクション番号とＦＰペイロード情報をパラメータとして含むＦＰペイロード変更指示をＦＰ変換手段１０５へ送信する。
【００８０】
ＦＰ変換手段１０５は、信号処理制御手段１０４から指示を受信した場合に、指示内容に応じて、データコネクションの確立・解除やＦＰフォーマット変換折り返しの設定やＦＰペイロード変更を行う。特に、ＦＰペイロード変更指示を受信した場合には、ＦＰ変換折り返し時にＦＰペイロードを設定するデータコネクション番号とＦＰペイロード情報を記憶することにより、ＦＰペイロード変更するデータコネクションを設定する。また、データコネクションおよびＦＰフォーマット折り返しが設定されているコネクションで、下位レイヤ信号処理手段１０６からＦＰフレームを受信した場合に、受信ＦＰフレームのフォーマットを下り用ＦＰフォーマットから上り用ＦＰフォーマットに変換して、適切なタイミングに適切なＴＦＩ値を付与したＦＰフレームを下位レイヤ信号処理手段１０６に送信する。特に、ＦＰペイロード変更が設定されているデータコネクションでＦＰフレームを受信した場合には、ＦＰペイロード変更設定時に記憶したＦＰペイロード情報をＦＰフレームペイロード部分に設定して下位レイヤ信号処理手段１０６へＦＰフレームを送信する。
【００８１】
下位レイヤ信号処理手段１０６は、信号処理制御手段１０４から受信したデータコネクションの確立・解除の命令を受信した場合に、データコネクションの確立・解除を行う。また、データコネクションが設定されているコネクションで、データバス１０９から信号を受信した場合に、ＦＰレイヤより下位のレイヤのプロトコル分解を行い、ＦＰ変換手段１０５へＦＰフレームを送信する。また、データコネクションが設定されているコネクションで、ＦＰ変換手段１０５よりＦＰフレームを受信した場合、ＦＰレイヤより下位のレイヤのプロトコル組立て処理を行い、データバス１０９へ信号を送信する。
【００８２】
対制御局信号入出力手段１０７は、制御手段１０２から受信したデータコネクションの確立・解除の命令を受信した場合に、信号処理手段１０３〜対制御局信号入出力手段１０７間、対制御局信号入出力手段１０７〜無線ネットワーク制御模擬装置２００間のデータコネクションの確立・解除を行う。また、データコネクションが設定されているコネクションにおいて、無線ネットワーク制御模擬装置２００からデータを受信した場合、ＦＰフォーマット変換折り返し装置１００内部の伝送プロトコル仕様でデータバス１０９へデータを送信する。また、信号処理手段１０３からデータバス１０９経由で信号を受信した場合、ＦＰフォーマット変換折り返し装置１００〜無線ネットワーク制御模擬装置２００間の伝送路仕様に基づいたデータ形式で受信信号を無線ネットワーク制御模擬装置２００へ送信する。
【００８３】
制御バス１０８は、制御手段１０２からの制御信号、および信号処理手段１０３や対制御局信号入出力手段１０７からの制御信号の応答信号を送受信するためのバスである。
【００８４】
データバス１０９は、対制御局信号入出力手段１０７が無線ネットワーク制御模擬装置２００から受信した信号を信号処理手段１０３へ送信したり、信号処理手段１０３が出力した信号を対制御局信号入出力手段１０７へ送信するためのバスである。
【００８５】
このように構成された本実施形態のＦＰフォーマット変換折り返し装置１００における、ＦＰペイロードを変更してＦＰ折り返しを行う場合の動作手順は、データコネクションの確立、ＦＰ変換折り返し設定、ＦＰペイロード変更設定、受信ＦＰ折り返しの順となる。本実施形態におけるデータコネクションの確立動作は、第１の実施形態によるデータコネクション確立と同様である。また、ＦＰペイロードを設定してＦＰ折り返しを行う場合のＦＰ変換折り返し設定も第１の実施形態によるＦＰ変換折り返し設定と同様である。したがって、以下では、ＦＰペイロードを変更してＦＰ折り返しを行う場合の「ＦＰペイロード変更設定動作」と「ＦＰ折り返し動作」について説明する。
【００８６】
＜ＦＰペイロード変更設定動作＞
まず、ユーザがＦＰペイロードを変更してＦＰ変換折り返しを行うコネクションのＦＰペイロード情報とデータコネクション番号をそれぞれＨＭＩ入出力手段１０１へ入力する。このとき、入力するデータコネクションはデータコネクション確立、ＦＰ変換折り返しの設定を実施したデータコネクション番号を適用する。次に、ＨＭＩ入出力手段１０１がＦＰペイロード情報とデータコネクション番号の組を制御手段１０２に送出する。
【００８７】
次に、制御手段１０２が制御バス１０８を介して信号処理制御手段１０４に前記ＦＰペイロード情報とデータコネクション番号の組を送信する。次に、信号処理制御手段１０４は受信した前記ＦＰペイロード情報とデータコネクション番号の組をＦＰ変換手段１０５に送信する。次に、ＦＰ変換手段１０５が、前記ＦＰペイロード情報とデータコネクション番号の組を記憶する。
【００８８】
＜ＦＰペイロードの変更に伴うＦＰ変換折り返し動作＞
まず、対制御局信号入出力手段１０７が無線ネットワーク制御模擬装置２００から信号を受信した場合、受信信号のコネクション識別情報が既に登録されている場合は、データコネクション設定時に信号処理手段１０３と関連付けられたデータコネクションでデータバス１０９へ受信信号を送信する。その際、受信データをデータバス１０９上のデータのプロトコル仕様に変換してデータバス１０９へ送信する。次に、下位レイヤ信号処理手段１０６がデータバス１０９経由で受信した受信信号に対して、ＦＰレイヤより下位のレイヤのプロトコル分解処理を行い、ＦＰフレームをＦＰ変換手段１０５へ送信する。
【００８９】
次に、ＦＰ変換手段１０５が受信したＦＰフレームのデータコネクションが、ＦＰペイロードを変更してＦＰ変換折り返しを行うデータコネクションとして記憶されている場合、下位レイヤ信号処理手段１０６から受信したＦＰフレームのＦＰフレームを上りＦＰフォーマットに変換し、さらにＦＰフレーム内のペイロード部分に、ＦＰペイロード変更設定時に記憶されたＦＰペイロード情報を付与したＦＰフレームを作成して下位レイヤ信号処理手段１０６へ送信する。次に、下位レイヤ信号処理手段１０６が受信した上りフォーマットに変換されたＦＰフレームに対し、ＦＰレイヤよりも下位のレイヤのプロトコル組立て処理を行い、対制御局信号入出力手段１０７と関連付けられたデータバス１０９へ送出する。
【００９０】
次に、対制御局信号入出力手段１０７がデータバス１０９経由で信号処理手段１０３からデータを受信した場合、受信データのデータコネクションに対応するコネクション識別子を付与し、基地局〜無線ネットワーク制御模擬装置２００間の伝送路仕様に基づいた形式に変換して、無線ネットワーク制御模擬装置２００へ送信する。
【００９１】
〔第５の実施の形態〕
本発明に係るＦＰフォーマット変換折り返し装置の第５の実施の形態について説明する。第５の実施形態のＦＰフォーマット変換折り返し装置１００は、無線ネットワーク制御模擬装置２００から受信したＦＰのフォーマットを下りＦＰフォーマットから上りＦＰフォーマットへの変換を行うものであり、その構成は第１の実施形態（図１）と同様である。すなわち、本実施形態のＦＰフォーマット変換折り返し装置１００は、ＨＭＩ入出力手段１０１と、制御手段１０２と、信号処理手段１０３と、対制御局信号入出力手段１０７と、制御バス１０８と、データバス１０９とを備えて構成されている。
【００９２】
ＨＭＩ入出力手段１０１は、キーボードやディスプレイ等の入出力を有する。ユーザ操作による入力を検出した場合、入力内容に応じてＦＰフォーマット変換折り返し装置１００内のデータコネクションの確立・解除やＦＰフォーマット変換折り返し設定や一定周期ＦＰペイロード反転の指示命令を制御手段１０２へ送信する。特に、一定周期ＦＰペイロード反転を行う場合には、ユーザが一定周期ＦＰペイロード反転を行うデータコネクション番号とＦＰペイロード反転周期を入力し、ＨＭＩ入出力手段１０１が、一定周期ＦＰペイロード反転を行うデータコネクション番号とＦＰペイロード反転周期をパラメータとして含む一定周期ＦＰペイロード反転指示を制御手段１０２に送信する。
【００９３】
制御手段１０２は、ＨＭＩ入出力手段１０１からの指示を受信した場合、受信した指示の内容に応じて、信号処理手段１０３と対制御局信号入出力手段１０７間のデータコネクションの確立・解除やＦＰフォーマット変換折り返し設定の指示命令を制御バス１０８経由で信号処理手段１０３および対制御局信号入出力手段１０７に与える。特に、一定周期ＦＰペイロード反転指示を受信した場合には、一定周期ＦＰペイロード反転を行うデータコネクション番号とＦＰペイロード反転周期をパラメータとして含む一定周期ＦＰペイロード反転指示を信号処理手段１０３へ送信する。
【００９４】
信号処理手段１０３は、制御手段１０２から制御バス１０８経由で指示を受信した場合に、指示の内容に応じてデータコネクションの確立・解除やＦＰフォーマット変換折り返し設定や一定周期ＦＰペイロード反転を行う。また、データコネクションが設定されて、かつ、ＦＰフォーマット変換折り返し設定が完了しているコネクションにおいて、データバス１０９を経由して信号を受信した場合、受信した対制御局信号入出力手段１０７からの信号のＦＰフォーマット変換を実施し、再びデータバス１０９を経由して対制御局信号入出力手段１０７に送信する。特に、一定周期ＦＰペイロード反転指示を受信したデータコネクションでＦＰフレームを受信した場合は、ＦＰフレームフォーマット変換後、一定周期ＦＰペイロード反転指示命令のパラメータであるＦＰペイロード反転周期毎にＦＰペイロードの内容をビット反転して対制御局信号入出力手段１０７に送信する。信号処理手段１０３は、信号処理制御手段１０４と、ＦＰ変換手段１０５と、下位レイヤ信号処理手段１０６とを有する。
【００９５】
信号処理制御手段１０４は、制御バス１０８経由でデータコネクション確立・解除やＦＰフォーマット変換折り返しの指示を受信した場合に、指示内容に応じてＦＰ変換手段１０５および下位レイヤ信号処理手段１０６にデータコネクションの確立・解除やＦＰフォーマット変換折り返しや一定周期ＦＰペイロード反転の指示を送信する。特に、一定周期ＦＰペイロード反転指示を受信した場合には、一定周期ＦＰペイロード反転を行うデータコネクション番号とＦＰペイロード反転周期をパラメータとして含む一定周期ＦＰペイロード反転指示をＦＰ変換手段１０５へ送信する。
【００９６】
ＦＰ変換手段１０５は、信号処理制御手段１０４から指示を受信した場合に、指示内容に応じて、データコネクションの確立・解除やＦＰフォーマット変換折り返しの設定や一定周期ＦＰペイロード反転を行う。特に、一定周期ＦＰペイロード反転指示を受信した場合には、ＦＰ変換折り返し時に一定周期ＦＰペイロード反転を行うデータコネクション番号とＦＰペイロード反転周期を記憶することにより、一定周期ＦＰペイロード反転を行うデータコネクションを設定する。また、データコネクションおよびＦＰフォーマット折り返しが設定されているコネクションで、下位レイヤ信号処理手段１０６からＦＰフレームを受信した場合に、受信ＦＰフレームのフォーマットを下り用ＦＰフォーマットから上り用ＦＰフォーマットに変換して、適切なタイミングに適切なＴＦＩ値を付与したＦＰフレームを下位レイヤ信号処理手段１０６に送信する。また、一定周期ＦＰペイロード反転が設定されているデータコネクションでＦＰフレームを受信した場合には、一定周期ＦＰペイロード反転設定時に記憶した周期毎に受信ＦＰのペイロード部分をビット反転して下位レイヤ信号処理手段１０６へＦＰフレームを送信する。
【００９７】
下位レイヤ信号処理手段１０６は、信号処理制御手段１０４から受信したデータコネクションの確立・解除の命令を受信した場合に、データコネクションの確立・解除を行う。また、データコネクションが設定されているコネクションで、データバス１０９から信号を受信した場合に、ＦＰレイヤより下位のレイヤのプロトコル分解を行い、ＦＰ変換手段１０５へＦＰフレームを送信する。また、データコネクションが設定されているコネクションで、ＦＰ変換手段１０５よりＦＰフレームを受信した場合、ＦＰレイヤより下位のレイヤのプロトコル組立て処理を行い、データバス１０９へ信号を送信する。
【００９８】
対制御局信号入出力手段１０７は、制御手段１０２から受信したデータコネクションの確立・解除の命令を受信した場合に、信号処理手段１０３〜対制御局信号入出力手段１０７間、対制御局信号入出力手段１０７〜無線ネットワーク制御模擬装置２００間のデータコネクションの確立・解除を行う。また、データコネクションが設定されているコネクションにおいて、無線ネットワーク制御模擬装置２００からデータを受信した場合、ＦＰフォーマット変換折り返し装置１００内部の伝送プロトコル仕様でデータバス１０９へデータを送信する。また、信号処理手段１０３からデータバス１０９経由で信号を受信した場合、ＦＰフォーマット変換折り返し装置１００〜無線ネットワーク制御模擬装置２００間の伝送路仕様に基づいたデータ形式で受信信号を無線ネットワーク制御模擬装置２００へ送信する。
【００９９】
制御バス１０８は、制御手段１０２からの制御信号、および信号処理手段１０３や対制御局信号入出力手段１０７からの制御信号の応答信号を送受信するためのバスである。
【０１００】
データバス１０９は、対制御局信号入出力手段１０７が無線ネットワーク制御模擬装置２００から受信した信号を信号処理手段１０３へ送信したり、信号処理手段１０３が出力した信号を対制御局信号入出力手段１０７へ送信するためのバスである。
【０１０１】
このように構成された本実施形態のＦＰフォーマット変換折り返し装置１００における、一定周期でＦＰペイロードをビット反転しながらＦＰ折り返しを行う場合の動作手順は、データコネクションの確立、ＦＰ変換折り返し設定、一定周期ＦＰペイロード反転設定、受信ＦＰ折り返しの順となる。本実施形態におけるデータコネクションの確立動作は、第１の実施形態によるデータコネクション確立と同様である。また、一定周期でＦＰペイロードをビット反転しながらＦＰ折り返しを行う場合のＦＰ変換折り返し設定も第１の実施形態によるＦＰ変換折り返し設定と同様である。したがって、以下では、一定周期でＦＰペイロードをビット反転しながらＦＰ折り返しを行う場合の「一定周期ＦＰペイロード反転設定動作」と「ＦＰ折り返し動作」について説明する。
【０１０２】
＜一定周期ＦＰペイロード反転設定動作＞
まず、ユーザが一定周期でＦＰペイロードをビット反転しながらＦＰ変換折り返しを行うコネクションのＦＰペイロード反転周期とデータコネクション番号をそれぞれＨＭＩ入出力手段１０１へ入力する。このとき、入力するデータコネクションはデータコネクション確立、ＦＰ変換折り返しの設定を実施したデータコネクション番号を適用する。次に、ＨＭＩ入出力手段１０１がＦＰペイロード反転周期とデータコネクション番号の組を制御手段１０２に送出する。
【０１０３】
次に、制御手段１０２が制御バス１０８を介して信号処理制御手段１０４に前記ＦＰペイロード反転周期とデータコネクション番号の組を送信する。次に、信号処理制御手段１０４は受信した前記ＦＰペイロード反転周期とデータコネクション番号の組をＦＰ変換手段１０５に送信する。次に、ＦＰ変換手段１０５が、前記ＦＰペイロード反転周期とデータコネクション番号の組を記憶する。
【０１０４】
＜一定周期でＦＰペイロードのビット反転に伴うＦＰ変換折り返し動作＞
まず、対制御局信号入出力手段１０７が無線ネットワーク制御模擬装置２００から信号を受信した場合、受信信号のコネクション識別情報が既に登録されている場合は、データコネクション設定時に信号処理手段１０３と関連付けられたデータコネクションでデータバス１０９へ受信信号を送信する。その際、受信データをデータバス１０９上のデータのプロトコル仕様に変換してデータバス１０９へ送信する。次に、下位レイヤ信号処理手段１０６がデータバス１０９経由で受信した受信信号に対して、ＦＰレイヤより下位のレイヤのプロトコル分解処理を行い、ＦＰフレームをＦＰ変換手段１０５へ送信する。
【０１０５】
次に、ＦＰ変換手段１０５が受信したＦＰフレームのデータコネクションが、一定周期でＦＰペイロードをビット反転しながらＦＰ変換折り返しを行うデータコネクションとして記憶されている場合、下位レイヤ信号処理手段１０６から受信したＦＰフレームのＦＰフレームを上りＦＰフォーマットに変換し、さらにＦＰフレーム内のペイロード部分を一定周期でビット反転したＦＰフレームを作成して下位レイヤ信号処理手段１０６へ送信する。次に、下位レイヤ信号処理手段１０６が受信した上りフォーマットに変換されたＦＰフレームに対し、ＦＰレイヤよりも下位のレイヤのプロトコル組立て処理を行い、対制御局信号入出力手段１０７と関連付けられたデータバス１０９へ送出する。
【０１０６】
次に、対制御局信号入出力手段１０７がデータバス１０９経由で信号処理手段１０３からデータを受信した場合、受信データのデータコネクションに対応するコネクション識別子を付与し、基地局〜無線ネットワーク制御模擬装置２００間の伝送路仕様に基づいた形式に変換して、無線ネットワーク制御模擬装置２００へ送信する。
【０１０７】
〔第６の実施の形態〕
本発明に係るＦＰフォーマット変換折り返し装置の第６の実施の形態について説明する。第６の実施形態のＦＰフォーマット変換折り返し装置１００は、無線ネットワーク制御模擬装置２００から受信したＦＰのフォーマットを下りＦＰフォーマットから上りＦＰフォーマットへの変換を行うものであり、その構成は第１の実施形態（図１）と同様である。すなわち、本実施形態のＦＰフォーマット変換折り返し装置１００は、ＨＭＩ入出力手段１０１と、制御手段１０２と、信号処理手段１０３と、対制御局信号入出力手段１０７と、制御バス１０８と、データバス１０９とを備えて構成されている。
【０１０８】
ＨＭＩ入出力手段１０１は、キーボードやディスプレイ等の入出力を有する。ユーザ操作による入力を検出した場合、入力内容に応じてＦＰフォーマット変換折り返し装置１００内のデータコネクションの確立・解除やＦＰフォーマット変換折り返し設定やヘッダＣＲＣエラー設定の指示命令を制御手段１０２へ送信する。特に、ヘッダＣＲＣエラーの設定を行う場合には、ユーザがヘッダＣＲＣエラーを設定するデータコネクション番号を入力し、ＨＭＩ入出力手段１０１が、前記ヘッダＣＲＣエラーを設定するデータコネクション番号をパラメータとして含むヘッダＣＲＣエラー設定指示を制御手段１０２に送信する。
【０１０９】
制御手段１０２は、ＨＭＩ入出力手段１０１からの指示を受信した場合、受信した指示の内容に応じて、信号処理手段１０３と対制御局信号入出力手段１０７間のデータコネクションの確立・解除やＦＰフォーマット変換折り返し設定の指示命令を制御バス１０８経由で信号処理手段１０３および対制御局信号入出力手段１０７に与える。特に、ヘッダＣＲＣエラー設定指示を受信した場合には、ヘッダＣＲＣエラーを設定して折り返すデータコネクション番号をパラメータとして含むヘッダＣＲＣエラー設定指示を信号処理手段１０３へ送信する。
【０１１０】
信号処理手段１０３は、制御手段１０２から制御バス１０８経由で指示を受信した場合に、指示の内容に応じてデータコネクションの確立・解除やＦＰフォーマット変換折り返し設定やヘッダＣＲＣエラー設定を行う。また、データコネクションが設定されて、かつ、ＦＰフォーマット変換折り返し設定が完了しているコネクションにおいて、データバス１０９を経由して信号を受信した場合、受信した対制御局信号入出力手段１０７からの信号のＦＰフォーマット変換を実施し、再びデータバス１０９を経由して対制御局信号入出力手段１０７に送信する。特に、ヘッダＣＲＣエラーの設定指示を受信したデータコネクションでＦＰフレームを受信した場合は、ＦＰフレームフォーマット変換後、折り返すＦＰフレームのヘッダＣＲＣにエラーに設定して対制御局信号入出力手段１０７に送信する。信号処理手段１０３は、信号処理制御手段１０４と、ＦＰ変換手段１０５と、下位レイヤ信号処理手段１０６とを有する。
【０１１１】
信号処理制御手段１０４は、制御バス１０８経由でデータコネクション確立・解除やＦＰフォーマット変換折り返しの指示を受信した場合に、指示内容に応じてＦＰ変換手段１０５および下位レイヤ信号処理手段１０６にデータコネクションの確立・解除やＦＰフォーマット変換折り返しやヘッダＣＲＣエラー設定の指示を送信する。特に、ヘッダＣＲＣエラー設定指示を受信した場合には、ヘッダＣＲＣエラーを設定して折り返すデータコネクション番号をパラメータとして含むヘッダＣＲＣエラー設定指示をＦＰ変換手段１０５へ送信する。
【０１１２】
ＦＰ変換手段１０５は、信号処理制御手段１０４から指示を受信した場合に、指示内容に応じて、データコネクションの確立・解除やＦＰフォーマット変換折り返しの設定やヘッダＣＲＣエラー設定を行う。特に、ヘッダＣＲＣエラー設定指示を受信した場合には、ＦＰ変換折り返し時にヘッダＣＲＣエラーを設定するデータコネクション番号を記憶することにより、ヘッダＣＲＣエラー設定するデータコネクションを設定する。また、データコネクションおよびＦＰフォーマット折り返しが設定されているコネクションで、下位レイヤ信号処理手段１０６からＦＰフレームを受信した場合に、受信ＦＰフレームのフォーマットを下り用ＦＰフォーマットから上り用ＦＰフォーマットに変換して、適切なタイミングに適切なＴＦＩ値を付与したＦＰフレームを下位レイヤ信号処理手段１０６に送信する。特に、ヘッダＣＲＣエラーの設定がなされているデータコネクションでＦＰフレームを受信した場合には、ＦＰフレームに、ヘッダＣＲＣエラーを設定して下位レイヤ信号処理手段１０６へＦＰフレームを送信する。
【０１１３】
下位レイヤ信号処理手段１０６は、信号処理制御手段１０４から受信したデータコネクションの確立・解除の命令を受信した場合に、データコネクションの確立・解除を行う。また、データコネクションが設定されているコネクションで、データバス１０９から信号を受信した場合に、ＦＰレイヤより下位のレイヤのプロトコル分解を行い、ＦＰ変換手段１０５へＦＰフレームを送信する。また、データコネクションが設定されているコネクションで、ＦＰ変換手段１０５よりＦＰフレームを受信した場合、ＦＰレイヤより下位のレイヤのプロトコル組立て処理を行い、データバス１０９へ信号を送信する。
【０１１４】
対制御局信号入出力手段１０７は、制御手段１０２から受信したデータコネクションの確立・解除の命令を受信した場合に、信号処理手段１０３〜対制御局信号入出力手段１０７間、対制御局信号入出力手段１０７〜無線ネットワーク制御模擬装置２００間のデータコネクションの確立・解除を行う。また、データコネクションが設定されているコネクションにおいて、無線ネットワーク制御模擬装置２００からデータを受信した場合、ＦＰフォーマット変換折り返し装置１００内部の伝送プロトコル仕様でデータバス１０９へデータを送信する。また、信号処理手段１０３からデータバス１０９経由で信号を受信した場合、ＦＰフォーマット変換折り返し装置１００〜無線ネットワーク制御模擬装置２００間の伝送路仕様に基づいたデータ形式で受信信号を無線ネットワーク制御模擬装置２００へ送信する。
【０１１５】
制御バス１０８は、制御手段１０２からの制御信号、および信号処理手段１０３や対制御局信号入出力手段１０７からの制御信号の応答信号を送受信するためのバスである。
【０１１６】
データバス１０９は、対制御局信号入出力手段１０７が無線ネットワーク制御模擬装置２００から受信した信号を信号処理手段１０３へ送信したり、信号処理手段１０３が出力した信号を対制御局信号入出力手段１０７へ送信するためのバスである。
【０１１７】
このように構成された本実施形態のＦＰフォーマット変換折り返し装置１００における、ヘッダＣＲＣエラーを設定してＦＰ折り返しを行う場合の動作手順は、データコネクションの確立、ＦＰ変換折り返し設定、ヘッダＣＲＣエラー設定、受信ＦＰ折り返しの順となる。第６の実施形態におけるデータコネクションの確立動作は、第１の実施形態によるデータコネクション確立と同様である。また、ヘッダＣＲＣエラーを設定してＦＰ折り返しを行う場合のＦＰ変換折り返し設定も第１の実施形態によるＦＰ変換折り返し設定と同様である。したがって、以下では、ヘッダＣＲＣエラーを設定してＦＰ折り返しを行う場合の「ヘッダＣＲＣエラー設定動作」と「ＦＰ折り返し動作」について説明する。
【０１１８】
＜ヘッダＣＲＣエラー設定動作＞
まず、ユーザがヘッダＣＲＣエラーを変更してＦＰ変換折り返しを行うコネクションのデータコネクション番号をＨＭＩ入出力手段１０１へ入力する。このとき、入力するデータコネクションはデータコネクション確立、ＦＰ変換折り返しの設定を実施したデータコネクション番号を適用する。次に、ＨＭＩ入出力手段１０１がパラメータにデータコネクション番号を含むヘッダＣＲＣエラー設定指示命令を制御手段１０２に送出する。
【０１１９】
次に、制御手段１０２が制御バス１０８を介して信号処理制御手段１０４にパラメータにデータコネクション番号を含むヘッダＣＲＣエラー設定指示命令を送信する。次に、信号処理制御手段１０４は受信したパラメータにデータコネクション番号を含むヘッダＣＲＣエラー設定指示命令をＦＰ変換手段１０５に送信する。次に、ＦＰ変換手段１０５が、データコネクション番号を記憶する。
【０１２０】
＜ヘッダＣＲＣエラーの設定に伴うＦＰ変換折り返し動作＞
まず、対制御局信号入出力手段１０７が無線ネットワーク制御模擬装置２００から信号を受信した場合、受信信号のコネクション識別情報が既に登録されている場合は、データコネクション設定時に信号処理手段１０３と関連付けられたデータコネクションでデータバス１０９へ受信信号を送信する。その際、受信データをデータバス１０９上のデータのプロトコル仕様に変換してデータバス１０９へ送信する。次に、下位レイヤ信号処理手段１０６がデータバス１０９経由で受信した受信信号に対して、ＦＰレイヤより下位のレイヤのプロトコル分解処理を行い、ＦＰフレームをＦＰ変換手段１０５へ送信する。
【０１２１】
次に、ＦＰ変換手段１０５が受信したＦＰフレームのデータコネクションが、ヘッダＣＲＣエラーを変更してＦＰ変換折り返しを行うデータコネクションとして記憶されている場合、下位レイヤ信号処理手段１０６から受信したＦＰフレームのＦＰフレームを上りＦＰフォーマットに変換し、さらにＦＰフレームに、ヘッダＣＲＣエラーを設定して下位レイヤ信号処理手段１０６へ送信する。次に、下位レイヤ信号処理手段１０６が受信した上りフォーマットに変換されたＦＰフレームに対し、ＦＰレイヤよりも下位のレイヤのプロトコル組立て処理を行い、対制御局信号入出力手段１０７と関連付けられたデータバス１０９へ送出する。
【０１２２】
次に、対制御局信号入出力手段１０７がデータバス１０９経由で信号処理手段１０３からデータを受信した場合、受信データのデータコネクションに対応するコネクション識別子を付与し、基地局〜無線ネットワーク制御模擬装置２００間の伝送路仕様に基づいた形式に変換して、無線ネットワーク制御模擬装置２００へ送信する。
【０１２３】
〔第７の実施の形態〕
本発明に係るＦＰフォーマット変換折り返し装置の第７の実施の形態について説明する。第７の実施形態のＦＰフォーマット変換折り返し装置１００は、無線ネットワーク制御模擬装置２００から受信したＦＰのフォーマットを下りＦＰフォーマットから上りＦＰフォーマットへの変換を行うものであり、その構成は第１の実施形態（図１）と同様である。すなわち、本実施形態のＦＰフォーマット変換折り返し装置１００は、ＨＭＩ入出力手段１０１と、制御手段１０２と、信号処理手段１０３と、対制御局信号入出力手段１０７と、制御バス１０８と、データバス１０９とを備えて構成されている。
【０１２４】
ＨＭＩ入出力手段１０１は、キーボードやディスプレイ等の入出力を有する。ユーザ操作による入力を検出した場合、入力内容に応じてＦＰフォーマット変換折り返し装置１００内のデータコネクションの確立・解除やＦＰフォーマット変換折り返し設定やペイロードＣＲＣエラー設定の指示命令を制御手段１０２へ送信する。特に、ペイロードＣＲＣエラーの設定を行う場合には、ユーザがペイロードＣＲＣエラーを設定するデータコネクション番号を入力し、ＨＭＩ入出力手段１０１が、前記ペイロードＣＲＣエラーを設定するデータコネクション番号をパラメータとして含むペイロードＣＲＣエラー設定指示を制御手段１０２に送信する。
【０１２５】
制御手段１０２は、ＨＭＩ入出力手段１０１からの指示を受信した場合、受信した指示の内容に応じて、信号処理手段１０３と対制御局信号入出力手段１０７間のデータコネクションの確立・解除やＦＰフォーマット変換折り返し設定の指示命令を制御バス１０８経由で信号処理手段１０３および対制御局信号入出力手段１０７に与える。特に、ペイロードＣＲＣエラー設定指示を受信した場合には、ペイロードＣＲＣエラーを設定して折り返すデータコネクション番号をパラメータとして含むペイロードＣＲＣエラー設定指示を信号処理手段１０３へ送信する。
【０１２６】
信号処理手段１０３は、制御手段１０２から制御バス１０８経由で指示を受信した場合に、指示の内容に応じてデータコネクションの確立・解除やＦＰフォーマット変換折り返し設定やペイロードＣＲＣエラー設定を行う。また、データコネクションが設定されて、かつ、ＦＰフォーマット変換折り返し設定が完了しているコネクションにおいて、データバス１０９を経由して信号を受信した場合、受信した対制御局信号入出力手段１０７からの信号のＦＰフォーマット変換を実施し、再びデータバス１０９を経由して対制御局信号入出力手段１０７に送信する。特に、ペイロードＣＲＣエラーの設定指示を受信したデータコネクションでＦＰフレームを受信した場合は、ＦＰフレームフォーマット変換後、折り返すＦＰフレームのペイロードＣＲＣにエラーに設定して対制御局信号入出力手段１０７に送信する。信号処理手段１０３は、信号処理制御手段１０４と、ＦＰ変換手段１０５と、下位レイヤ信号処理手段１０６とを有する。
【０１２７】
信号処理制御手段１０４は、制御バス１０８経由でデータコネクション確立・解除やＦＰフォーマット変換折り返しの指示を受信した場合に、指示内容に応じてＦＰ変換手段１０５および下位レイヤ信号処理手段１０６にデータコネクションの確立・解除やＦＰフォーマット変換折り返しやペイロードＣＲＣエラー設定の指示を送信する。特に、ペイロードＣＲＣエラー設定指示を受信した場合には、ペイロードＣＲＣエラーを設定して折り返すデータコネクション番号をパラメータとして含むペイロードＣＲＣエラー設定指示をＦＰ変換手段１０５へ送信する。
【０１２８】
ＦＰ変換手段１０５は、信号処理制御手段１０４から指示を受信した場合に、指示内容に応じて、データコネクションの確立・解除やＦＰフォーマット変換折り返しの設定やペイロードＣＲＣエラー設定を行う。特に、ペイロードＣＲＣエラー設定指示を受信した場合には、ＦＰ変換折り返し時にペイロードＣＲＣエラーを設定するデータコネクション番号を記憶することにより、ペイロードＣＲＣエラー設定するデータコネクションを設定する。また、データコネクションおよびＦＰフォーマット折り返しが設定されているコネクションで、下位レイヤ信号処理手段１０６からＦＰフレームを受信した場合に、受信ＦＰフレームのフォーマットを下り用ＦＰフォーマットから上り用ＦＰフォーマットに変換して、適切なタイミングに適切なＴＦＩ値を付与したＦＰフレームを下位レイヤ信号処理手段１０６に送信する。特に、ペイロードＣＲＣエラーの設定がなされているデータコネクションでＦＰフレームを受信した場合には、ＦＰフレームに、ペイロードＣＲＣエラーを設定して下位レイヤ信号処理手段１０６へＦＰフレームを送信する。
【０１２９】
下位レイヤ信号処理手段１０６は、信号処理制御手段１０４から受信したデータコネクションの確立・解除の命令を受信した場合に、データコネクションの確立・解除を行う。また、データコネクションが設定されているコネクションで、データバス１０９から信号を受信した場合に、ＦＰレイヤより下位のレイヤのプロトコル分解を行い、ＦＰ変換手段１０５へＦＰフレームを送信する。また、データコネクションが設定されているコネクションで、ＦＰ変換手段１０５よりＦＰフレームを受信した場合、ＦＰレイヤより下位のレイヤのプロトコル組立て処理を行い、データバス１０９へ信号を送信する。
【０１３０】
対制御局信号入出力手段１０７は、制御手段１０２から受信したデータコネクションの確立・解除の命令を受信した場合に、信号処理手段１０３〜対制御局信号入出力手段１０７間、対制御局信号入出力手段１０７〜無線ネットワーク制御模擬装置２００間のデータコネクションの確立・解除を行う。また、データコネクションが設定されているコネクションにおいて、無線ネットワーク制御模擬装置２００からデータを受信した場合、ＦＰフォーマット変換折り返し装置１００内部の伝送プロトコル仕様でデータバス１０９へデータを送信する。また、信号処理手段１０３からデータバス１０９経由で信号を受信した場合、ＦＰフォーマット変換折り返し装置１００〜無線ネットワーク制御模擬装置２００間の伝送路仕様に基づいたデータ形式で受信信号を無線ネットワーク制御模擬装置２００へ送信する。
【０１３１】
制御バス１０８は、制御手段１０２からの制御信号、および信号処理手段１０３や対制御局信号入出力手段１０７からの制御信号の応答信号を送受信するためのバスである。
【０１３２】
データバス１０９は、対制御局信号入出力手段１０７が無線ネットワーク制御模擬装置２００から受信した信号を信号処理手段１０３へ送信したり、信号処理手段１０３が出力した信号を対制御局信号入出力手段１０７へ送信するためのバスである。
【０１３３】
このように構成された本実施形態のＦＰフォーマット変換折り返し装置１００における、ペイロードＣＲＣエラーを設定してＦＰ折り返しを行う場合の動作手順は、データコネクションの確立、ＦＰ変換折り返し設定、ペイロードＣＲＣエラー設定、受信ＦＰ折り返しの順となる。第７の実施形態におけるデータコネクションの確立動作は、第１の実施形態によるデータコネクション確立と同様である。また、ペイロードＣＲＣエラーを設定してＦＰ折り返しを行う場合のＦＰ変換折り返し設定も第１の実施形態によるＦＰ変換折り返し設定と同様である。したがって、以下では、ペイロードＣＲＣエラーを設定してＦＰ折り返しを行う場合の「ペイロードＣＲＣエラー設定動作」と「ＦＰ折り返し動作」について説明する。
【０１３４】
＜ペイロードＣＲＣエラー設定動作＞
まず、ユーザがペイロードＣＲＣエラーを変更してＦＰ変換折り返しを行うコネクションのデータコネクション番号をＨＭＩ入出力手段１０１へ入力する。このとき、入力するデータコネクションはデータコネクション確立、ＦＰ変換折り返しの設定を実施したデータコネクション番号を適用する。次に、ＨＭＩ入出力手段１０１がパラメータにデータコネクション番号を含むペイロードＣＲＣエラー設定指示命令を制御手段１０２に送出する。
【０１３５】
次に、制御手段１０２が制御バス１０８を介して信号処理制御手段１０４にパラメータにデータコネクション番号を含むペイロードＣＲＣエラー設定指示命令を送信する。次に、信号処理制御手段１０４は受信したパラメータにデータコネクション番号を含むペイロードＣＲＣエラー設定指示命令をＦＰ変換手段１０５に送信する。次に、ＦＰ変換手段１０５が、データコネクション番号を記憶する。
【０１３６】
＜ペイロードＣＲＣエラーの設定に伴うＦＰ変換折り返し動作＞
まず、対制御局信号入出力手段１０７が無線ネットワーク制御模擬装置２００から信号を受信した場合、受信信号のコネクション識別情報が既に登録されている場合は、データコネクション設定時に信号処理手段１０３と関連付けられたデータコネクションでデータバス１０９へ受信信号を送信する。その際、受信データをデータバス１０９上のデータのプロトコル仕様に変換してデータバス１０９へ送信する。次に、下位レイヤ信号処理手段１０６がデータバス１０９経由で受信した受信信号に対して、ＦＰレイヤより下位のレイヤのプロトコル分解処理を行い、ＦＰフレームをＦＰ変換手段１０５へ送信する。
【０１３７】
次に、ＦＰ変換手段１０５が受信したＦＰフレームのデータコネクションが、ペイロードＣＲＣエラーを変更してＦＰ変換折り返しを行うデータコネクションとして記憶されている場合、下位レイヤ信号処理手段１０６から受信したＦＰフレームのＦＰフレームを上りＦＰフォーマットに変換し、さらにＦＰフレームに、ペイロードＣＲＣエラーを設定して下位レイヤ信号処理手段１０６へ送信する。次に、下位レイヤ信号処理手段１０６が受信した上りフォーマットに変換されたＦＰフレームに対し、ＦＰレイヤよりも下位のレイヤのプロトコル組立て処理を行い、対制御局信号入出力手段１０７と関連付けられたデータバス１０９へ送出する。
【０１３８】
次に、対制御局信号入出力手段１０７がデータバス１０９経由で信号処理手段１０３からデータを受信した場合、受信データのデータコネクションに対応するコネクション識別子を付与し、基地局〜無線ネットワーク制御模擬装置２００間の伝送路仕様に基づいた形式に変換して、無線ネットワーク制御模擬装置２００へ送信する。
【０１３９】
〔第８の実施の形態〕
本発明に係るＦＰフォーマット変換折り返し装置の第８の実施の形態について説明する。第８の実施形態のＦＰフォーマット変換折り返し装置１００は、無線ネットワーク制御模擬装置２００から受信したＦＰのフォーマットを下りＦＰフォーマットから上りＦＰフォーマットへの変換を行うものであり、その構成は第１の実施形態（図１）と同様である。すなわち、本実施形態のＦＰフォーマット変換折り返し装置１００は、ＨＭＩ入出力手段１０１と、制御手段１０２と、信号処理手段１０３と、対制御局信号入出力手段１０７と、制御バス１０８と、データバス１０９とを備えて構成されている。
【０１４０】
ＨＭＩ入出力手段１０１は、キーボードやディスプレイ等の入出力を有する。ユーザ操作による入力を検出した場合、入力内容に応じてＦＰフォーマット変換折り返し装置１００内のデータコネクションの確立・解除やＦＰフォーマット変換折り返し設定やＱＥ値設定の指示命令を制御手段１０２へ送信する。特に、ＱＥ値の設定を行う場合には、ユーザがＱＥ値を設定するデータコネクション番号とＱＥ値の内容を入力し、ＨＭＩ入出力手段１０１が、ＱＥ値を設定するデータコネクション番号とＱＥ値の内容をパラメータとして含むＱＥ値設定指示を制御手段１０２に送信する。
【０１４１】
制御手段１０２は、ＨＭＩ入出力手段１０１からの指示を受信した場合、受信した指示の内容に応じて、信号処理手段１０３と対制御局信号入出力手段１０７間のデータコネクションの確立・解除やＦＰフォーマット変換折り返し設定の指示命令を制御バス１０８経由で信号処理手段１０３および対制御局信号入出力手段１０７に与える。特に、ＱＥ値設定指示を受信した場合には、ＱＥ値を付与して折り返すデータコネクション番号とＱＥ値情報をパラメータとして含むＱＥ値設定指示を信号処理手段１０３へ送信する。
【０１４２】
信号処理手段１０３は、制御手段１０２から制御バス１０８経由で指示を受信した場合に、指示の内容に応じてデータコネクションの確立・解除やＦＰフォーマット変換折り返し設定やＱＥ値設定を行う。また、データコネクションが設定されて、かつ、ＦＰフォーマット変換折り返し設定が完了しているコネクションにおいて、データバス１０９を経由して信号を受信した場合、受信した対制御局信号入出力手段１０７からの信号のＦＰフォーマット変換を実施し、再びデータバス１０９を経由して対制御局信号入出力手段１０７に送信する。特に、ＱＥ値の設定指示を受信したデータコネクションでＦＰフレームを受信した場合は、ＦＰフレームフォーマット変換後、ＱＥ値設定指示命令のパラメータであるＱＥ値情報を折り返すＦＰフレームに設定して対制御局信号入出力手段１０７に送信する。信号処理手段１０３は、信号処理制御手段１０４と、ＦＰ変換手段１０５と、下位レイヤ信号処理手段１０６とを有する。
【０１４３】
信号処理制御手段１０４は、制御バス１０８経由でデータコネクション確立・解除やＦＰフォーマット変換折り返しの指示を受信した場合に、指示内容に応じてＦＰ変換手段１０５および下位レイヤ信号処理手段１０６にデータコネクションの確立・解除やＦＰフォーマット変換折り返しやＱＥ値設定の指示を送信する。特に、ＱＥ値設定指示を受信した場合には、ＱＥ値を付与して折り返すデータコネクション番号とＱＥ値情報をパラメータとして含むＱＥ値設定指示をＦＰ変換手段１０５へ送信する。
【０１４４】
ＦＰ変換手段１０５は、信号処理制御手段１０４から指示を受信した場合に、指示内容に応じて、データコネクションの確立・解除やＦＰフォーマット変換折り返しの設定やＱＥ値設定を行う。特に、ＱＥ値設定指示を受信した場合には、ＦＰ変換折り返し時にＱＥ値を設定するデータコネクション番号とＱＥ値情報を記憶することにより、ＦＰ折り返し時にＱＥ値を設定するデータコネクションを設定する。また、データコネクションおよびＦＰフォーマット折り返しが設定されているコネクションで、下位レイヤ信号処理手段１０６からＦＰフレームを受信した場合に、受信ＦＰフレームのフォーマットを下り用ＦＰフォーマットから上り用ＦＰフォーマットに変換して、適切なタイミングに適切なＴＦＩ値を付与したＦＰフレームを下位レイヤ信号処理手段１０６に送信する。特に、ＱＥ値設定がされているデータコネクションでＦＰフレームを受信した場合には、ＱＥ値設定時に記憶したＱＥ値情報をＦＰフレームのＱＥ部分に設定して下位レイヤ信号処理手段１０６へＦＰフレームを送信する。
【０１４５】
下位レイヤ信号処理手段１０６は、信号処理制御手段１０４から受信したデータコネクションの確立・解除の命令を受信した場合に、データコネクションの確立・解除を行う。また、データコネクションが設定されているコネクションで、データバス１０９から信号を受信した場合に、ＦＰレイヤより下位のレイヤのプロトコル分解を行い、ＦＰ変換手段１０５へＦＰフレームを送信する。また、データコネクションが設定されているコネクションで、ＦＰ変換手段１０５よりＦＰフレームを受信した場合、ＦＰレイヤより下位のレイヤのプロトコル組立て処理を行い、データバス１０９へ信号を送信する。
【０１４６】
対制御局信号入出力手段１０７は、制御手段１０２から受信したデータコネクションの確立・解除の命令を受信した場合に、信号処理手段１０３〜対制御局信号入出力手段１０７間、対制御局信号入出力手段１０７〜無線ネットワーク制御模擬装置２００間のデータコネクションの確立・解除を行う。また、データコネクションが設定されているコネクションにおいて、無線ネットワーク制御模擬装置２００からデータを受信した場合、ＦＰフォーマット変換折り返し装置１００内部の伝送プロトコル仕様でデータバス１０９へデータを送信する。また、信号処理手段１０３からデータバス１０９経由で信号を受信した場合、ＦＰフォーマット変換折り返し装置１００〜無線ネットワーク制御模擬装置２００間の伝送路仕様に基づいたデータ形式で受信信号を無線ネットワーク制御模擬装置２００へ送信する。
【０１４７】
制御バス１０８は、制御手段１０２からの制御信号、および信号処理手段１０３や対制御局信号入出力手段１０７からの制御信号の応答信号を送受信するためのバスである。
【０１４８】
データバス１０９は、対制御局信号入出力手段１０７が無線ネットワーク制御模擬装置２００から受信した信号を信号処理手段１０３へ送信したり、信号処理手段１０３が出力した信号を対制御局信号入出力手段１０７へ送信するためのバスである。
【０１４９】
このように構成された本実施形態のＦＰフォーマット変換折り返し装置１００における、ユーザが指定したＱＥ値を設定してＦＰ折り返しを行う場合の動作手順は、データコネクションの確立、ＦＰ変換折り返し設定、ＱＥ値設定、受信ＦＰ折り返しの順となる。第８の実施形態におけるデータコネクションの確立動作は、第１の実施形態によるデータコネクション確立と同様である。また、ユーザが指定したＱＥ値を設定してＦＰ折り返しを行う場合のＦＰ変換折り返し設定も第１の実施形態によるＦＰ変換折り返し設定と同様である。したがって、以下では、ユーザが指定したＱＥ値を設定してＦＰ折り返しを行う場合の「ＱＥ値設定動作」と「ＦＰ折り返し動作」について説明する。
【０１５０】
＜ＱＥ値設定動作＞
まず、ユーザがＱＥ値を設定してＦＰ変換を行うコネクションのＱＥ値情報とデータコネクション番号をそれぞれＨＭＩ入出力手段１０１へ入力する。このとき、入力するデータコネクションはデータコネクション確立、ＦＰ変換折り返しの設定を実施したデータコネクション番号を適用する。次に、ＨＭＩ入出力手段１０１がＱＥ値情報とデータコネクション番号の組を制御手段１０２に送出する。
【０１５１】
次に、制御手段１０２が制御バス１０８を介して信号処理制御手段１０４に前記ＱＥ値情報とデータコネクション番号の組を送信する。次に、信号処理制御手段１０４は受信した前記ＱＥ値情報とデータコネクション番号の組をＦＰ変換手段１０５に送信する。次に、ＦＰ変換手段１０５が、前記ＱＥ値情報とデータコネクション番号の組を記憶する。
【０１５２】
＜ＱＥ値の設定に伴うＦＰ変換折り返し動作＞
まず、対制御局信号入出力手段１０７が無線ネットワーク制御模擬装置２００から信号を受信した場合、受信信号のコネクション識別情報が既に登録されている場合は、データコネクション設定時に信号処理手段１０３と関連付けられたデータコネクションでデータバス１０９へ受信信号を送信する。その際、受信データをデータバス１０９上のデータのプロトコル仕様に変換してデータバス１０９へ送信する。次に、下位レイヤ信号処理手段１０６がデータバス１０９経由で受信した受信信号に対して、ＦＰレイヤより下位のレイヤのプロトコル分解処理を行い、ＦＰフレームをＦＰ変換手段１０５へ送信する。
【０１５３】
次に、ＦＰ変換手段１０５が受信したＦＰフレームのデータコネクションが、ユーザが指定したＱＥ値情報を設定してＦＰ変換折り返しを行うデータコネクションとして記憶されている場合、下位レイヤ信号処理手段１０６から受信したＦＰフレームのＦＰフレームを上りＦＰフォーマットに変換し、さらにＦＰフレーム内のＱＥ部分にユーザが指定したＱＥ値情報を付与したＦＰフレームを作成して下位レイヤ信号処理手段１０６へ送信する。次に、下位レイヤ信号処理手段１０６が受信した上りフォーマットに変換されたＦＰフレームに対し、ＦＰレイヤよりも下位のレイヤのプロトコル組立て処理を行い、対制御局信号入出力手段１０７と関連付けられたデータバス１０９へ送出する。
【０１５４】
次に、対制御局信号入出力手段１０７がデータバス１０９経由で信号処理手段１０３からデータを受信した場合、受信データのデータコネクションに対応するコネクション識別子を付与し、基地局〜無線ネットワーク制御模擬装置２００間の伝送路仕様に基づいた形式に変換して、無線ネットワーク制御模擬装置２００へ送信する。
【０１５５】
〔第９の実施の形態〕
本発明に係るＦＰフォーマット変換折り返し装置の第９の実施の形態について説明する。第９の実施形態のＦＰフォーマット変換折り返し装置１００は、無線ネットワーク制御模擬装置２００から受信したＦＰのフォーマットを下りＦＰフォーマットから上りＦＰフォーマットへの変換を行うものであり、その構成は第１の実施形態（図１）と同様である。すなわち、本実施形態のＦＰフォーマット変換折り返し装置１００は、ＨＭＩ入出力手段１０１と制御手段１０２と信号処理手段１０３と対制御局信号入出力手段１０７と制御バス１０８とデータバス１０９とを備えて構成されている。
【０１５６】
ＨＭＩ入出力手段１０１は、キーボードやディスプレイ等の入出力を有する。ユーザ操作による入力を検出した場合、入力内容に応じてＦＰフォーマット変換折り返し装置１００内のデータコネクションの確立・解除やＦＰフォーマット変換折り返し設定や一定周期毎ＱＥ値変更の指示命令を制御手段１０２へ送信する。特に、一定周期毎ＱＥ値変更を行う場合には、ユーザが一定周期毎ＱＥ値変更を行うデータコネクション番号とＱＥ値変更周期とＱＥ値の組み合わせからなるＱＥ値変更周期情報を入力し、ＨＭＩ入出力手段１０１が、一定周期毎ＱＥ値変更を行うデータコネクション番号とＱＥ値変更周期情報をパラメータとして含む一定周期毎ＱＥ値変更指示を制御手段１０２に送信する。
【０１５７】
制御手段１０２は、ＨＭＩ入出力手段１０１からの指示を受信した場合、受信した指示の内容に応じて、信号処理手段１０３と対制御局信号入出力手段１０７間のデータコネクションの確立・解除やＦＰフォーマット変換折り返し設定の指示命令を制御バス１０８経由で信号処理手段１０３および対制御局信号入出力手段１０７に与える。特に、一定周期毎ＱＥ値変更指示を受信した場合には、一定周期毎ＱＥ値変更を行うデータコネクション番号とＱＥ値変更周期情報をパラメータとして含む一定周期毎ＱＥ値変更指示を信号処理手段１０３へ送信する。
【０１５８】
信号処理手段１０３は、制御手段１０２から制御バス１０８経由で指示を受信した場合に、指示の内容に応じてデータコネクションの確立・解除やＦＰフォーマット変換折り返し設定や一定周期毎ＱＥ値変更を行う。また、データコネクションが設定されて、かつ、ＦＰフォーマット変換折り返し設定が完了しているコネクションにおいて、データバス１０９を経由して信号を受信した場合、受信した対制御局信号入出力手段１０７からの信号のＦＰフォーマット変換を実施し、再びデータバス１０９を経由して対制御局信号入出力手段１０７に送信する。特に、一定周期毎ＱＥ値変更指示を受信したデータコネクションでＦＰフレームを受信した場合は、ＦＰフレームフォーマット変換後、一定周期毎ＱＥ値変更指示命令のパラメータであるＱＥ値変更周期情報内のＱＥ値変更周期毎にＱＥ値変更周期情報内のＱＥ値を順に設定して対制御局信号入出力手段１０７に送信する。信号処理手段１０３は、信号処理制御手段１０４と、ＦＰ変換手段１０５と、下位レイヤ信号処理手段１０６とを有する。
【０１５９】
信号処理制御手段１０４は、制御バス１０８経由でデータコネクション確立・解除やＦＰフォーマット変換折り返しの指示を受信した場合に、指示内容に応じてＦＰ変換手段１０５および下位レイヤ信号処理手段１０６にデータコネクションの確立・解除やＦＰフォーマット変換折り返しや一定周期毎ＱＥ値変更の指示を送信する。特に、一定周期毎ＱＥ値変更指示を受信した場合には、一定周期毎ＱＥ値変更を行うデータコネクション番号とＱＥ値変更周期情報をパラメータとして含む一定周期毎ＱＥ値変更指示をＦＰ変換手段１０５へ送信する。
【０１６０】
ＦＰ変換手段１０５は、信号処理制御手段１０４から指示を受信した場合に、指示内容に応じて、データコネクションの確立・解除やＦＰフォーマット変換折り返しの設定や一定周期毎ＱＥ値変更を行う。特に、一定周期毎ＱＥ値変更指示を受信した場合には、ＦＰ変換折り返し時に一定周期毎ＱＥ値変更を行うデータコネクション番号とＱＥ値変更周期情報を記憶することにより、一定周期毎ＱＥ値変更を行うデータコネクションを設定する。また、データコネクションおよびＦＰフォーマット折り返しが設定されているコネクションで、下位レイヤ信号処理手段１０６からＦＰフレームを受信した場合に、受信ＦＰフレームのフォーマットを下り用ＦＰフォーマットから上り用ＦＰフォーマットに変換して、適切なタイミングに適切なＴＦＩ値を付与したＦＰフレームを下位レイヤ信号処理手段１０６に送信する。特に、一定周期毎ＱＥ値変更が設定されているデータコネクションでＦＰフレームを受信した場合には、一定周期毎ＱＥ値変更設定時に記憶したＱＥ値変更周期情報内のＱＥ値変更周期毎にＱＥ値変更周期情報内のＱＥ値を順に設定して下位レイヤ信号処理手段１０６へＦＰフレームを送信する。
【０１６１】
下位レイヤ信号処理手段１０６は、信号処理制御手段１０４から受信したデータコネクションの確立・解除の命令を受信した場合に、データコネクションの確立・解除を行う。また、データコネクションが設定されているコネクションで、データバス１０９から信号を受信した場合に、ＦＰレイヤより下位のレイヤのプロトコル分解を行い、ＦＰ変換手段１０５へＦＰフレームを送信する。また、データコネクションが設定されているコネクションで、ＦＰ変換手段１０５よりＦＰフレームを受信した場合、ＦＰレイヤより下位のレイヤのプロトコル組立て処理を行い、データバス１０９へ信号を送信する。
【０１６２】
対制御局信号入出力手段１０７は、制御手段１０２から受信したデータコネクションの確立・解除の命令を受信した場合に、信号処理手段１０３〜対制御局信号入出力手段１０７間、対制御局信号入出力手段１０７〜無線ネットワーク制御模擬装置２００間のデータコネクションの確立・解除を行う。また、データコネクションが設定されているコネクションにおいて、無線ネットワーク制御模擬装置２００からデータを受信した場合、ＦＰフォーマット変換折り返し装置１００内部の伝送プロトコル仕様でデータバス１０９へデータを送信する。また、信号処理手段１０３からデータバス１０９経由で信号を受信した場合、ＦＰフォーマット変換折り返し装置１００〜無線ネットワーク制御模擬装置２００間の伝送路仕様に基づいたデータ形式で受信信号を無線ネットワーク制御模擬装置２００へ送信する。
【０１６３】
制御バス１０８は、制御手段１０２からの制御信号、および信号処理手段１０３や対制御局信号入出力手段１０７からの制御信号の応答信号を送受信するためのバスである。
【０１６４】
データバス１０９は、対制御局信号入出力手段１０７が無線ネットワーク制御模擬装置２００から受信した信号を信号処理手段１０３へ送信したり、信号処理手段１０３が出力した信号を対制御局信号入出力手段１０７へ送信するためのバスである。
【０１６５】
このように構成された本実施形態のＦＰフォーマット変換折り返し装置１００における、一定周期毎にＱＥ値を変更しながらＦＰ折り返しを行う場合の動作手順は、データコネクションの確立、ＦＰ変換折り返し設定、一定周期毎ＱＥ値変更設定、受信ＦＰ折り返しの順となる。第９の実施形態におけるデータコネクションの確立動作は、第１の実施形態によるデータコネクション確立と同様である。また、一定周期でＦＰペイロードをビット反転しながらＦＰ折り返しを行う場合のＦＰ変換折り返し設定も第１の実施形態によるＦＰ変換折り返し設定と同様である。したがって、以下では、一定周期毎にＱＥ値を変更しながらＦＰ折り返しを行う場合の「一定周期毎ＱＥ値変更設定動作」と「ＦＰ折り返し動作」について説明する。
【０１６６】
＜一定周期毎ＱＥ値変更設定動作＞
まず、ユーザが一定周期毎にＱＥ値を変更しながらＦＰ変換折り返しを行うコネクションのＱＥ値変更周期情報とデータコネクション番号をそれぞれＨＭＩ入出力手段１０１へ入力する。このとき、入力するデータコネクションはデータコネクション確立、ＦＰ変換折り返しの設定を実施したデータコネクション番号を適用する。次に、ＨＭＩ入出力手段１０１がＱＥ値変更周期情報とデータコネクション番号の組を制御手段１０２に送出する。
【０１６７】
次に、制御手段１０２が制御バス１０８を介して信号処理制御手段１０４に前記ＱＥ値変更周期情報とデータコネクション番号の組を送信する。次に、信号処理制御手段１０４は受信した前記ＱＥ値変更周期情報とデータコネクション番号の組をＦＰ変換手段１０５に送信する。次に、ＦＰ変換手段１０５が、前記ＱＥ値変更周期情報とデータコネクション番号の組を記憶する。
【０１６８】
＜一定周期毎のＱＥ値の変更に伴うＦＰ変換折り返し動作＞
まず、対制御局信号入出力手段１０７が無線ネットワーク制御模擬装置２００から信号を受信した場合、受信信号のコネクション識別情報が既に登録されている場合は、データコネクション設定時に信号処理手段１０３と関連付けられたデータコネクションでデータバス１０９へ受信信号を送信する。その際、受信データをデータバス１０９上のデータのプロトコル仕様に変換してデータバス１０９へ送信する。次に、下位レイヤ信号処理手段１０６がデータバス１０９経由で受信した受信信号に対して、ＦＰレイヤより下位のレイヤのプロトコル分解処理を行い、ＦＰフレームをＦＰ変換手段１０５へ送信する。
【０１６９】
次に、ＦＰ変換手段１０５が受信したＦＰフレームのデータコネクションが、一定周期毎にＱＥ値を変更しながらＦＰ変換折り返しを行うデータコネクションとして記憶されている場合、下位レイヤ信号処理手段１０６から受信したＦＰフレームのＦＰフレームを上りＦＰフォーマットに変換し、さらにＦＰフレーム内のＱＥ部分に一定周期毎ＱＥ値変更設定時に記憶したＱＥ値変更周期情報内のＱＥ値変更周期毎にＱＥ値変更周期情報内のＱＥ値を順に設定して下位レイヤ信号処理手段１０６へ送信する。次に、下位レイヤ信号処理手段１０６が受信した上りフォーマットに変換されたＦＰフレームに対し、ＦＰレイヤよりも下位のレイヤのプロトコル組立て処理を行い、対制御局信号入出力手段１０７と関連付けられたデータバス１０９へ送出する。
【０１７０】
次に、対制御局信号入出力手段１０７がデータバス１０９経由で信号処理手段１０３からデータを受信した場合、受信データのデータコネクションに対応するコネクション識別子を付与し、基地局〜無線ネットワーク制御模擬装置２００間の伝送路仕様に基づいた形式に変換して、無線ネットワーク制御模擬装置２００へ送信する。
【０１７１】
〔第１０の実施の形態〕
本発明に係るＦＰフォーマット変換折り返し装置の第１０の実施の形態について説明する。第１０の実施形態のＦＰフォーマット変換折り返し装置１００は、無線ネットワーク制御模擬装置２００から受信したＦＰのフォーマットを下りＦＰフォーマットから上りＦＰフォーマットへの変換を行うものであり、その構成は第１の実施形態（図１）と同様である。すなわち、本実施形態のＦＰフォーマット変換折り返し装置１００は、ＨＭＩ入出力手段１０１と、制御手段１０２と、信号処理手段１０３と、対制御局信号入出力手段１０７と、制御バス１０８と、データバス１０９とを備えて構成されている。
【０１７２】
ＨＭＩ入出力手段１０１は、キーボードやディスプレイ等の入出力を有する。ユーザ操作による入力を検出した場合、入力内容に応じてＦＰフォーマット変換折り返し装置１００内のデータコネクションの確立・解除やＦＰフォーマット変換折り返し設定やＣＲＣＩ設定の指示命令を制御手段１０２へ送信する。特に、ＣＲＣＩの設定を行う場合には、ユーザがＣＲＣＩを設定するデータコネクション番号とＣＲＣＩの内容を入力し、ＨＭＩ入出力手段１０１が、ＣＲＣＩを設定するデータコネクション番号とＣＲＣＩの内容をパラメータとして含むＣＲＣＩ設定指示を制御手段１０２に送信する。
【０１７３】
制御手段１０２は、ＨＭＩ入出力手段１０１からの指示を受信した場合、受信した指示の内容に応じて、信号処理手段１０３と対制御局信号入出力手段１０７間のデータコネクションの確立・解除やＦＰフォーマット変換折り返し設定の指示命令を制御バス１０８経由で信号処理手段１０３および対制御局信号入出力手段１０７に与える。特に、ＣＲＣＩ設定指示を受信した場合には、ＣＲＣＩを設定して折り返すデータコネクション番号とＣＲＣＩ情報をパラメータとして含むＣＲＣＩ設定指示を信号処理手段１０３へ送信する。
【０１７４】
信号処理手段１０３は、制御手段１０２から制御バス１０８経由で指示を受信した場合に、指示の内容に応じてデータコネクションの確立・解除やＦＰフォーマット変換折り返し設定やＣＲＣＩ設定を行う。また、データコネクションが設定されて、かつ、ＦＰフォーマット変換折り返し設定が完了しているコネクションにおいて、データバス１０９を経由して信号を受信した場合、受信した対制御局信号入出力手段１０７からの信号のＦＰフォーマット変換を実施し、再びデータバス１０９を経由して対制御局信号入出力手段１０７に送信する。特に、ＣＲＣＩの設定指示を受信したデータコネクションでＦＰフレームを受信した場合は、ＦＰフレームフォーマット変換後、ＣＲＣＩ設定指示命令のパラメータであるＣＲＣＩ情報を折り返すＦＰフレームに設定して対制御局信号入出力手段１０７に送信する。信号処理手段１０３は、信号処理制御手段１０４と、ＦＰ変換手段１０５と、下位レイヤ信号処理手段１０６とを有する。
【０１７５】
信号処理制御手段１０４は、制御バス１０８経由でデータコネクション確立・解除やＦＰフォーマット変換折り返しの指示を受信した場合に、指示内容に応じてＦＰ変換手段１０５および下位レイヤ信号処理手段１０６にデータコネクションの確立・解除やＦＰフォーマット変換折り返しやＣＲＣＩ設定の指示を送信する。特に、ＣＲＣＩ設定指示を受信した場合には、ＣＲＣＩを設定して折り返すデータコネクション番号とＣＲＣＩ情報をパラメータとして含むＣＲＣＩ設定指示をＦＰ変換手段１０５へ送信する。
【０１７６】
ＦＰ変換手段１０５は、信号処理制御手段１０４から指示を受信した場合に、指示内容に応じて、データコネクションの確立・解除やＦＰフォーマット変換折り返しの設定やＣＲＣＩ設定を行う。特に、ＣＲＣＩ設定指示を受信した場合には、ＦＰ変換折り返し時にＣＲＣＩを設定するデータコネクション番号とＣＲＣＩ情報を記憶することにより、ＦＰ折り返し時にＣＲＣＩを設定するデータコネクションを設定する。また、データコネクションおよびＦＰフォーマット折り返しが設定されているコネクションで、下位レイヤ信号処理手段１０６からＦＰフレームを受信した場合に、受信ＦＰフレームのフォーマットを下り用ＦＰフォーマットから上り用ＦＰフォーマットに変換して、適切なタイミングに適切なＴＦＩ値を付与したＦＰフレームを下位レイヤ信号処理手段１０６に送信する。特に、ＣＲＣＩ設定がされているデータコネクションでＦＰフレームを受信した場合には、ＣＲＣＩ設定時に記憶したＣＲＣＩ情報をＦＰフレームのＣＲＣＩ部分に設定して下位レイヤ信号処理手段１０６へＦＰフレームを送信する。
【０１７７】
下位レイヤ信号処理手段１０６は、信号処理制御手段１０４から受信したデータコネクションの確立・解除の命令を受信した場合に、データコネクションの確立・解除を行う。また、データコネクションが設定されているコネクションで、データバス１０９から信号を受信した場合に、ＦＰレイヤより下位のレイヤのプロトコル分解を行い、ＦＰ変換手段１０５へＦＰフレームを送信する。また、データコネクションが設定されているコネクションで、ＦＰ変換手段１０５よりＦＰフレームを受信した場合、ＦＰレイヤより下位のレイヤのプロトコル組立て処理を行い、データバス１０９へ信号を送信する。
【０１７８】
対制御局信号入出力手段１０７は、制御手段１０２から受信したデータコネクションの確立・解除の命令を受信した場合に、信号処理手段１０３〜対制御局信号入出力手段１０７間、対制御局信号入出力手段１０７〜無線ネットワーク制御模擬装置２００間のデータコネクションの確立・解除を行う。また、データコネクションが設定されているコネクションにおいて、無線ネットワーク制御模擬装置２００からデータを受信した場合、ＦＰフォーマット変換折り返し装置１００内部の伝送プロトコル仕様でデータバス１０９へデータを送信する。また、信号処理手段１０３からデータバス１０９経由で信号を受信した場合、ＦＰフォーマット変換折り返し装置１００〜無線ネットワーク制御模擬装置２００間の伝送路仕様に基づいたデータ形式で受信信号を無線ネットワーク制御模擬装置２００へ送信する。
【０１７９】
制御バス１０８は、制御手段１０２からの制御信号、および信号処理手段１０３や対制御局信号入出力手段１０７からの制御信号の応答信号を送受信するためのバスである。
【０１８０】
データバス１０９は、対制御局信号入出力手段１０７が無線ネットワーク制御模擬装置２００から受信した信号を信号処理手段１０３へ送信したり、信号処理手段１０３が出力した信号を対制御局信号入出力手段１０７へ送信するためのバスである。
【０１８１】
このように構成された本実施形態のＦＰフォーマット変換折り返し装置１００における、ユーザが指定したＣＲＣＩを設定してＦＰ折り返しを行う場合の動作手順は、データコネクションの確立、ＦＰ変換折り返し設定、ＣＲＣＩ設定、受信ＦＰ折り返しの順となる。第１の実施形態０におけるデータコネクションの確立動作は、第１の実施形態によるデータコネクション確立と同様である。また、ユーザが指定したＣＲＣＩを設定してＦＰ折り返しを行う場合のＦＰ変換折り返し設定も第１の実施形態によるＦＰ変換折り返し設定と同様である。したがって、以下では、ユーザが指定したＣＲＣＩを設定してＦＰ折り返しを行う場合の「ＣＲＣＩ設定動作」と「ＦＰ折り返し動作」について説明する。
【０１８２】
＜ＣＲＣＩ設定動作＞
まず、ユーザがＣＲＣＩを設定してＦＰ変換を行うコネクションのＣＲＣＩ情報とデータコネクション番号をそれぞれＨＭＩ入出力手段１０１へ入力する。このとき、入力するデータコネクションはデータコネクション確立、ＦＰ変換折り返しの設定を実施したデータコネクション番号を適用する。次に、ＨＭＩ入出力手段１０１がＣＲＣＩ情報とデータコネクション番号の組を制御手段１０２に送出する。
【０１８３】
次に、制御手段１０２が制御バス１０８を介して信号処理制御手段１０４に前記ＣＲＣＩ情報とデータコネクション番号の組を送信する。次に、信号処理制御手段１０４は受信した前記ＣＲＣＩ情報とデータコネクション番号の組をＦＰ変換手段１０５に送信する。次に、ＦＰ変換手段１０５が、前記ＣＲＣＩ情報とデータコネクション番号の組を記憶する。
【０１８４】
＜ＣＲＣＩの設定に伴うＦＰ変換折り返し動作＞
まず、対制御局信号入出力手段１０７が無線ネットワーク制御模擬装置２００から信号を受信した場合、受信信号のコネクション識別情報が既に登録されている場合は、データコネクション設定時に信号処理手段１０３と関連付けられたデータコネクションでデータバス１０９へ受信信号を送信する。その際、受信データをデータバス１０９上のデータのプロトコル仕様に変換してデータバス１０９へ送信する。次に、下位レイヤ信号処理手段１０６がデータバス１０９経由で受信した受信信号に対して、ＦＰレイヤより下位のレイヤのプロトコル分解処理を行い、ＦＰフレームをＦＰ変換手段１０５へ送信する。
【０１８５】
次に、ＦＰ変換手段１０５が受信したＦＰフレームのデータコネクションが、ユーザが指定したＣＲＣＩ情報を設定してＦＰ変換折り返しを行うデータコネクションとして記憶されている場合、下位レイヤ信号処理手段１０６から受信したＦＰフレームのＦＰフレームを上りＦＰフォーマットに変換し、さらにＣＲＣＩ部分にユーザが指定したＣＲＣＩ情報を設定したＦＰフレームを作成して下位レイヤ信号処理手段１０６へ送信する。次に、下位レイヤ信号処理手段１０６が受信した上りフォーマットに変換されたＦＰフレームに対し、ＦＰレイヤよりも下位のレイヤのプロトコル組立て処理を行い、対制御局信号入出力手段１０７と関連付けられたデータバス１０９へ送出する。
【０１８６】
次に、対制御局信号入出力手段１０７がデータバス１０９経由で信号処理手段１０３からデータを受信した場合、受信データのデータコネクションに対応するコネクション識別子を付与し、基地局〜無線ネットワーク制御模擬装置２００間の伝送路仕様に基づいた形式に変換して、無線ネットワーク制御模擬装置２００へ送信する。
【０１８７】
〔第１１の実施の形態〕
本発明に係るＦＰフォーマット変換折り返し装置の第１１の実施の形態について説明する。第１１の実施形態のＦＰフォーマット変換折り返し装置１００は、無線ネットワーク制御模擬装置２００から受信したＦＰのフォーマットを下りＦＰフォーマットから上りＦＰフォーマットへの変換を行うものであり、その構成は第１の実施形態（図１）と同様である。すなわち、本実施形態のＦＰフォーマット変換折り返し装置１００は、ＨＭＩ入出力手段１０１と、制御手段１０２と、信号処理手段１０３と、対制御局信号入出力手段１０７と、制御バス１０８と、データバス１０９とを備えて構成されている。
【０１８８】
ＨＭＩ入出力手段１０１は、キーボードやディスプレイ等の入出力を有する。ユーザ操作による入力を検出した場合、入力内容に応じてＦＰフォーマット変換折り返し装置１００内のデータコネクションの確立・解除やＦＰフォーマット変換折り返し設定やプロパゲーションディレイ（Ｐｒｏｐａｇａｔｉｏｎ  Ｄｅｌａｙ）設定の指示命令を制御手段１０２へ送信する。特に、プロパゲーションディレイの設定を行う場合には、ユーザがプロパゲーションディレイを設定するデータコネクション番号とプロパゲーションディレイの内容を入力し、ＨＭＩ入出力手段１０１が、プロパゲーションディレイを設定するデータコネクション番号とプロパゲーションディレイの内容をパラメータとして含むプロパゲーションディレイ設定指示を制御手段１０２に送信する。
【０１８９】
制御手段１０２は、ＨＭＩ入出力手段１０１からの指示を受信した場合、受信した指示の内容に応じて、信号処理手段１０３と対制御局信号入出力手段１０７間のデータコネクションの確立・解除やＦＰフォーマット変換折り返し設定の指示命令を制御バス１０８経由で信号処理手段１０３および対制御局信号入出力手段１０７に与える。特に、プロパゲーションディレイ設定指示を受信した場合には、プロパゲーションディレイを設定して折り返すデータコネクション番号とプロパゲーションディレイ情報をパラメータとして含むプロパゲーションディレイ設定指示を信号処理手段１０３へ送信する。
【０１９０】
信号処理手段１０３は、制御手段１０２から制御バス１０８経由で指示を受信した場合に、指示の内容に応じてデータコネクションの確立・解除やＦＰフォーマット変換折り返し設定やプロパゲーションディレイ設定を行う。また、データコネクションが設定されて、かつ、ＦＰフォーマット変換折り返し設定が完了しているコネクションにおいて、データバス１０９を経由して信号を受信した場合、受信した対制御局信号入出力手段１０７からの信号のＦＰフォーマット変換を実施し、再びデータバス１０９を経由して対制御局信号入出力手段１０７に送信する。特に、プロパゲーションディレイの設定指示を受信したデータコネクションでＦＰフレームを受信した場合は、ＦＰフレームフォーマット変換後、プロパゲーションディレイ設定指示命令のパラメータであるプロパゲーションディレイ情報を折り返すＦＰフレームに設定して対制御局信号入出力手段１０７に送信する。信号処理手段１０３は、信号処理制御手段１０４と、ＦＰ変換手段１０５と、下位レイヤ信号処理手段１０６とを有する。
【０１９１】
信号処理制御手段１０４は、制御バス１０８経由でデータコネクション確立・解除やＦＰフォーマット変換折り返しの指示を受信した場合に、指示内容に応じてＦＰ変換手段１０５および下位レイヤ信号処理手段１０６にデータコネクションの確立・解除やＦＰフォーマット変換折り返しやプロパゲーションディレイ設定の指示を送信する。特に、プロパゲーションディレイ設定指示を受信した場合には、プロパゲーションディレイを設定して折り返すデータコネクション番号とプロパゲーションディレイ情報をパラメータとして含むプロパゲーションディレイ設定指示をＦＰ変換手段１０５へ送信する。
【０１９２】
ＦＰ変換手段１０５は、信号処理制御手段１０４から指示を受信した場合に、指示内容に応じて、データコネクションの確立・解除やＦＰフォーマット変換折り返しの設定やプロパゲーションディレイ設定を行う。特に、プロパゲーションディレイ設定指示を受信した場合には、ＦＰ変換折り返し時にプロパゲーションディレイを設定するデータコネクション番号とプロパゲーションディレイ情報を記憶することにより、ＦＰ折り返し時にプロパゲーションディレイを設定するデータコネクションを設定する。また、データコネクションおよびＦＰフォーマット折り返しが設定されているコネクションで、下位レイヤ信号処理手段１０６からＦＰフレームを受信した場合に、受信ＦＰフレームのフォーマットを下り用ＦＰフォーマットから上り用ＦＰフォーマットに変換して、適切なタイミングに適切なＴＦＩ値を付与したＦＰフレームを下位レイヤ信号処理手段１０６に送信する。特に、プロパゲーションディレイ設定がされているデータコネクションでＦＰフレームを受信した場合には、プロパゲーションディレイ設定時に記憶したプロパゲーションディレイ情報をＦＰフレームのプロパゲーションディレイ部分に設定して下位レイヤ信号処理手段１０６へＦＰフレームを送信する。
【０１９３】
下位レイヤ信号処理手段１０６は、信号処理制御手段１０４から受信したデータコネクションの確立・解除の命令を受信した場合に、データコネクションの確立・解除を行う。また、データコネクションが設定されているコネクションで、データバス１０９から信号を受信した場合に、ＦＰレイヤより下位のレイヤのプロトコル分解を行い、ＦＰ変換手段１０５へＦＰフレームを送信する。また、データコネクションが設定されているコネクションで、ＦＰ変換手段１０５よりＦＰフレームを受信した場合、ＦＰレイヤより下位のレイヤのプロトコル組立て処理を行い、データバス１０９へ信号を送信する。
【０１９４】
対制御局信号入出力手段１０７は、制御手段１０２から受信したデータコネクションの確立・解除の命令を受信した場合に、信号処理手段１０３〜対制御局信号入出力手段１０７間、対制御局信号入出力手段１０７〜無線ネットワーク制御模擬装置２００間のデータコネクションの確立・解除を行う。また、データコネクションが設定されているコネクションにおいて、無線ネットワーク制御模擬装置２００からデータを受信した場合、ＦＰフォーマット変換折り返し装置１００内部の伝送プロトコル仕様でデータバス１０９へデータを送信する。また、信号処理手段１０３からデータバス１０９経由で信号を受信した場合、ＦＰフォーマット変換折り返し装置１００〜無線ネットワーク制御模擬装置２００間の伝送路仕様に基づいたデータ形式で受信信号を無線ネットワーク制御模擬装置２００へ送信する。
【０１９５】
制御バス１０８は、制御手段１０２からの制御信号、および信号処理手段１０３や対制御局信号入出力手段１０７からの制御信号の応答信号を送受信するためのバスである。
【０１９６】
データバス１０９は、対制御局信号入出力手段１０７が無線ネットワーク制御模擬装置２００から受信した信号を信号処理手段１０３へ送信したり、信号処理手段１０３が出力した信号を対制御局信号入出力手段１０７へ送信するためのバスである。
【０１９７】
このように構成された本実施形態のＦＰフォーマット変換折り返し装置１００における、ユーザが指定したプロパゲーションディレイを設定してＦＰ折り返しを行う場合の動作手順は、データコネクションの確立、ＦＰ変換折り返し設定、プロパゲーションディレイ設定、受信ＦＰ折り返しの順となる。第１の実施形態１におけるデータコネクションの確立動作は、第１の実施形態によるデータコネクション確立と同様である。また、ユーザが指定したプロパゲーションディレイを設定してＦＰ折り返しを行う場合のＦＰ変換折り返し設定も第１の実施形態によるＦＰ変換折り返し設定と同様である。したがって、以下では、ユーザが指定したプロパゲーションディレイを設定してＦＰ折り返しを行う場合の「プロパゲーションディレイ設定動作」と「ＦＰ折り返し動作」について説明する。
【０１９８】
＜プロパゲーションディレイ設定動作＞
まず、ユーザがプロパゲーションディレイを設定してＦＰ変換を行うコネクションのプロパゲーションディレイ情報とデータコネクション番号をそれぞれＨＭＩ入出力手段１０１へ入力する。このとき、入力するデータコネクションはデータコネクション確立、ＦＰ変換折り返しの設定を実施したデータコネクション番号を適用する。次に、ＨＭＩ入出力手段１０１がプロパゲーションディレイ情報とデータコネクション番号の組を制御手段１０２に送出する。
【０１９９】
次に、制御手段１０２が制御バス１０８を介して信号処理制御手段１０４に前記プロパゲーションディレイ情報とデータコネクション番号の組を送信する。次に、信号処理制御手段１０４は受信した前記プロパゲーションディレイ情報とデータコネクション番号の組をＦＰ変換手段１０５に送信する。次に、ＦＰ変換手段１０５が、前記プロパゲーションディレイ情報とデータコネクション番号の組を記憶する。
【０２００】
＜プロパゲーションディレイの設定に伴うＦＰ変換折り返し動作＞
まず、対制御局信号入出力手段１０７が無線ネットワーク制御模擬装置２００から信号を受信した場合、受信信号のコネクション識別情報が既に登録されている場合は、データコネクション設定時に信号処理手段１０３と関連付けられたデータコネクションでデータバス１０９へ受信信号を送信する。その際、受信データをデータバス１０９上のデータのプロトコル仕様に変換してデータバス１０９へ送信する。次に、下位レイヤ信号処理手段１０６がデータバス１０９経由で受信した受信信号に対して、ＦＰレイヤより下位のレイヤのプロトコル分解処理を行い、ＦＰフレームをＦＰ変換手段１０５へ送信する。
【０２０１】
次に、ＦＰ変換手段１０５が受信したＦＰフレームのデータコネクションが、ユーザが指定したプロパゲーションディレイ情報を設定してＦＰ変換折り返しを行うデータコネクションとして記憶されている場合、下位レイヤ信号処理手段１０６から受信したＦＰフレームのＦＰフレームを上りＦＰフォーマットに変換し、さらにＦＰフレーム内のプロパゲーションディレイ部分にユーザが指定したプロパゲーションディレイ情報を設定したＦＰフレームを作成して下位レイヤ信号処理手段１０６へ送信する。次に、下位レイヤ信号処理手段１０６が受信した上りフォーマットに変換されたＦＰフレームに対し、ＦＰレイヤよりも下位のレイヤのプロトコル組立て処理を行い、対制御局信号入出力手段１０７と関連付けられたデータバス１０９へ送出する。
【０２０２】
次に、対制御局信号入出力手段１０７がデータバス１０９経由で信号処理手段１０３からデータを受信した場合、受信データのデータコネクションに対応するコネクション識別子を付与し、基地局〜無線ネットワーク制御模擬装置２００間の伝送路仕様に基づいた形式に変換して、無線ネットワーク制御模擬装置２００へ送信する。
【０２０３】
〔第１２の実施の形態〕
本発明に係るＦＰフォーマット変換折り返し装置の第１２の実施の形態について説明する。第１２の実施形態のＦＰフォーマット変換折り返し装置１００は、無線ネットワーク制御模擬装置２００から受信したＦＰのフォーマットを下りＦＰフォーマットから上りＦＰフォーマットへの変換を行うものであり、その構成は第１の実施形態（図１）と同様である。すなわち、本実施形態のＦＰフォーマット変換折り返し装置１００は、ＨＭＩ入出力手段１０１と、制御手段１０２と、信号処理手段１０３と、対制御局信号入出力手段１０７と、制御バス１０８と、データバス１０９とを備えて構成されている。
【０２０４】
ＨＭＩ入出力手段１０１は、キーボードやディスプレイ等の入出力を有する。ユーザ操作による入力を検出した場合、入力内容に応じてＦＰフォーマット変換折り返し装置１００内のデータコネクションの確立・解除やＦＰフォーマット変換折り返し設定やコネクション情報表示の指示命令を制御手段１０２へ送信する。特に、コネクション情報の表示を行う場合には、ユーザがコネクション情報を表示するデータコネクション番号を入力し、ＨＭＩ入出力手段１０１が、コネクション情報を設定するデータコネクション番号をパラメータとして含むコネクション情報表示指示を制御手段１０２に送信する。また、制御手段１０２からコネクション情報表示応答を受信した場合は、制御手段１０２から受信したコネクション情報表示応答の内容をディスプレイへ送信する。
【０２０５】
制御手段１０２は、ＨＭＩ入出力手段１０１からの指示を受信した場合、受信した指示の内容に応じて、信号処理手段１０３と対制御局信号入出力手段１０７間のデータコネクションの確立・解除やＦＰフォーマット変換折り返し設定の指示命令を制御バス１０８経由で信号処理手段１０３および対制御局信号入出力手段１０７に与える。特に、コネクション情報の表示指示を受信した場合には、コネクション情報を表示するデータコネクション番号をパラメータとして含むコネクション情報の表示指示を信号処理手段１０３へ送信する。また、信号処理手段１０３からコネクション情報表示応答を受信した場合は、信号処理手段１０３から受信したコネクション情報表示応答をＨＭＩ入出力手段１０１へ送信する。
【０２０６】
信号処理手段１０３は、制御手段１０２から制御バス１０８経由で指示を受信した場合に、指示の内容に応じてデータコネクションの確立・解除やＦＰフォーマット変換折り返し設定やコネクション情報の表示を行う。また、データコネクションが設定されて、かつ、ＦＰフォーマット変換折り返し設定が完了しているコネクションにおいて、データバス１０９を経由して信号を受信した場合、受信した対制御局信号入出力手段１０７からの信号のＦＰフォーマット変換を実施し、再びデータバス１０９を経由して対制御局信号入出力手段１０７に送信する。信号処理手段１０３は、信号処理制御手段１０４と、ＦＰ変換手段１０５と、下位レイヤ信号処理手段１０６とを有する。
【０２０７】
信号処理制御手段１０４は、制御バス１０８経由でデータコネクション確立・解除やＦＰフォーマット変換折り返しの指示を受信した場合に、指示内容に応じてＦＰ変換手段１０５および下位レイヤ信号処理手段１０６にデータコネクションの確立・解除やＦＰフォーマット変換折り返しやコネクション情報表示の指示を送信する。特に、コネクション情報表示指示を受信した場合には、コネクション情報を表示するデータコネクション番号をパラメータとして含むコネクション情報表示指示をＦＰ変換手段１０５へ送信する。また、ＦＰ変換手段１０５からコネクション情報応答を受信した場合は、ＦＰ変換手段１０５から受信したコネクション情報表示応答を制御手段１０２へ送信する。
【０２０８】
ＦＰ変換手段１０５は、信号処理制御手段１０４から指示を受信した場合に、指示内容に応じて、データコネクションの確立・解除やＦＰフォーマット変換折り返しの設定やコネクション情報表示を行う。特に、コネクション情報表示指示を受信した場合には、コネクションの設定状況や折り返し設定状況など第１の実施形態から実施の形態１２のいずれかの項目に関する情報を設定したコネクション情報表示応答を信号処理制御手段１０４に送信する。また、データコネクションおよびＦＰフォーマット折り返しが設定されているコネクションで、下位レイヤ信号処理手段１０６からＦＰフレームを受信した場合に、受信ＦＰフレームのフォーマットを下り用ＦＰフォーマットから上り用ＦＰフォーマットに変換して、適切なタイミングに適切なＴＦＩ値を付与したＦＰフレームを下位レイヤ信号処理手段１０６に送信する。
【０２０９】
下位レイヤ信号処理手段１０６は、信号処理制御手段１０４から受信したデータコネクションの確立・解除の命令を受信した場合に、データコネクションの確立・解除を行う。また、データコネクションが設定されているコネクションで、データバス１０９から信号を受信した場合に、ＦＰレイヤより下位のレイヤのプロトコル分解を行い、ＦＰ変換手段１０５へＦＰフレームを送信する。また、データコネクションが設定されているコネクションで、ＦＰ変換手段１０５よりＦＰフレームを受信した場合、ＦＰレイヤより下位のレイヤのプロトコル組立て処理を行い、データバス１０９へ信号を送信する。
【０２１０】
対制御局信号入出力手段１０７は、制御手段１０２から受信したデータコネクションの確立・解除の命令を受信した場合に、信号処理手段１０３〜対制御局信号入出力手段１０７間、対制御局信号入出力手段１０７〜無線ネットワーク制御模擬装置２００間のデータコネクションの確立・解除を行う。また、データコネクションが設定されているコネクションにおいて、無線ネットワーク制御模擬装置２００からデータを受信した場合、ＦＰフォーマット変換折り返し装置１００内部の伝送プロトコル仕様でデータバス１０９へデータを送信する。また、信号処理手段１０３からデータバス１０９経由で信号を受信した場合、ＦＰフォーマット変換折り返し装置１００〜無線ネットワーク制御模擬装置２００間の伝送路仕様に基づいたデータ形式で受信信号を無線ネットワーク制御模擬装置２００へ送信する。
【０２１１】
制御バス１０８は、制御手段１０２からの制御信号、および信号処理手段１０３や対制御局信号入出力手段１０７からの制御信号の応答信号を送受信するためのバスである。
【０２１２】
データバス１０９は、対制御局信号入出力手段１０７が無線ネットワーク制御模擬装置２００から受信した信号を信号処理手段１０３へ送信したり、信号処理手段１０３が出力した信号を対制御局信号入出力手段１０７へ送信するためのバスである。
【０２１３】
このように構成された本実施形態のＦＰフォーマット変換折り返し装置１００における、各コネクションの接続状況や折り返し状況などを表示する「コネクション情報表示動作」について説明する。
【０２１４】
＜コネクション情報表示動作＞
まず、ユーザがコネクション情報を表示させたいデータコネクションのデータコネクション番号をＨＭＩ入出力手段１０１へ入力する。次に、ＨＭＩ入出力手段１０１がデータコネクション番号をパラメータとして含むコネクション情報表示指示を制御手段１０２に送出する。次に、制御手段１０２が制御バス１０８を介して信号処理制御手段１０４にデータコネクション番号をパラメータとして含むコネクション情報表示指示を送信する。
【０２１５】
次に、信号処理制御手段１０４は受信したデータコネクション番号をパラメータとして含むコネクション情報表示指示をＦＰ変換手段１０５に送信する。次に、ＦＰ変換手段１０５が、受信したコネクション情報表示指示内のパラメータであるデータコネクション番号に対応するデータコネクションのコネクション接続情報やＦＰ変換折り返し設定情報などを検索し、コネクション接続情報やＦＰ変換折り返し設定情報をパラメータとして含むコネクション情報表示応答を信号処理制御手段１０４に送信する。
【０２１６】
次に、信号処理制御手段１０４が受信したコネクション情報表示応答を制御手段１０２に送信する。次に、制御手段１０２が受信したコネクション情報表示応答をＨＭＩ入出力手段１０１に送信する。次に、ＨＭＩ入出力手段１０１が受信したコネクション情報表示応答の内容をディスプレイに表示する。
【０２１７】
【発明の効果】
以上説明したように、本発明に係るＦＰフォーマット変換折り返し装置によれば、所定のコネクションにおいて、無線ネットワーク制御模擬装置から送信された信号のＦＰフレームを下り用フォーマットから上り用フォーマットに変換して返信することができるため、無線ネットワーク制御模擬装置の信号導通試験を上り下り同時に行うことで試験を効率化することができる。また、ＦＰフレームのタイプを変更して無線ネットワーク制御模擬装置に送信することができる。
【図面の簡単な説明】
【図１】本発明の第１の実施形態〜第１２の実施形態に係るＦＰフォーマット変換折り返し装置および無線ネットワーク制御模擬装置の構成を示すブロック図
【符号の説明】
１００  ＦＰフォーマット変換折り返し装置
１０１  ＨＭＩ入出力手段
１０２  制御手段
１０３  信号処理手段
１０４  信号処理制御手段
１０５  ＦＰ変換手段
１０６  下位レイヤ信号処理手段
１０７  対制御局信号入出力手段
１０８  制御バス
１０９  データバス
２００  無線ネットワーク制御模擬装置
【図１】
2004214900.tif 000003